(57)【特許請求の範囲】
【請求項１】
２つ以上のキャリアを用いて移動局と通信を行う無線基地局であって、
前記移動局に対して、無線品質の測定を指示する制御信号を送信するように構成されている測定指示部と、
前記移動局から、前記２つ以上のキャリア内の各キャリアに関する測定結果と前記２つ以上のキャリア以外のキャリアに関する測定結果を受信するように構成されている受信部と、
前記測定結果に基づいて、前記移動局に対して、前記移動局との通信状態の変更を指示するように構成されているハンドオーバ制御部とを具備し、
前記ハンドオーバ制御部は、前記２つ以上のキャリアの各キャリアに関する測定結果と、前記２つ以上のキャリア以外のキャリアに関する測定結果とに基づいて、前記移動局に対して、前記移動局との通信状態の変更を行うか否かについて判定するように構成されており、
前記ハンドオーバ制御部は、
前記測定結果を受信した前記２つ以上のキャリア内のキャリアにおける隣接セルが、プライマリセルが属する無線基地局と同じ無線基地局に属する場合に、前記隣接セルをプライマリセルに変更するという通信状態の変更を行うように構成されており、
前記測定結果を受信した前記２つ以上のキャリア内のキャリアにおける隣接セルが、プライマリセルが属する無線基地局と同じ無線基地局に属さず、かつ、測定結果を受信した前記２つ以上のキャリア以外のキャリアにおける、最も無線品質の良いセルが、前記隣接セルが属する無線基地局に属する場合に、前記隣接セルをプライマリセルに変更し、かつ、前記測定結果を受信した前記２つ以上のキャリア以外のキャリアにおける、最も無線品質の良いセルをセカンダリセルに設定するという通信状態の変更を行うように構成されており、
前記測定結果を受信した隣接セルが、プライマリセルが属する無線基地局と同じ無線基地局に属さず、かつ、測定結果を受信した前記２つ以上のキャリア以外のキャリアにおける、最も無線品質の良いセルが、前記隣接セルが属する無線基地局に属さない場合に、前記隣接セルをプライマリセルに変更し、かつ、前記測定結果を受信した前記２つ以上のキャリア以外のキャリアにおける元のセカンダリセルを削除するという通信状態の変更を行うように構成されていることを特徴とする無線基地局。
【発明の詳細な説明】
【技術分野】
【０００１】
本発明は、無線基地局及び通信制御方法に関する。
【背景技術】
【０００２】
広帯域符号分割多重接続（ＷＣＤＭＡ：Ｗｉｄｅｂａｎｄ  Ｃｏｄｅ  Ｄｉｖｉｓｉｏｎ  Ｍｕｌｔｉｐｌｅｘｉｎｇ  Ａｃｃｅｓｓ）方式や、高速下りリンクパケットアクセス（ＨＳＤＰＡ：Ｈｉｇｈ-Ｓｐｅｅｄ  Ｄｏｗｎｌｉｎｋ  Ｐｃｋｅｔ  Ａｃｃｅｓｓ）方式や、高速上りリンクパケットアクセス（ＨＳＵＰＡ：Ｈｉｇｈ-Ｓｐｅｅｄ  Ｕｐｌｉｎｋ  Ｐｃｋｅｔ  Ａｃｃｅｓｓ）方式等の後継となる通信方式、すなわち、ロングタームエボリューション（ＬＴＥ：Ｌｏｎｇ  Ｔｅｒｍ  Ｅｖｏｌｕｔｉｏｎ）方式が、ＷＣＤＭＡの標準化団体３ＧＰＰで検討され、仕様化作業が行われた。【０００３】
また、前記ＬＴＥ方式の後継の通信方式として、ＬＴＥ-ａｄｖａｎｃｅｄ方式が、３ＧＰＰで検討されている。ＬＴＥ-ａｄｖａｎｃｅｄ方式の要求条件は、非特許文献１にまとめられている。【０００４】
ＬＴＥ-ａｄｖａｎｃｅｄ方式では、その要求条件として、「キャリアアグリゲーション（Ｃａｒｒｉｅｒ  ａｇｇｒｅｇａｔｉｏｎ）」を行うことが合意されている。「キャリアアグリゲーション」が行われる場合、移動局ＵＥは、同時に複数のキャリアを用いて下りリンクの信号を受信したり、同時に複数のキャリアを用いて上りリンクの信号を送信したりすることができる。キャリアアグリゲーションが行われる場合の各キャリアは、コンポーネントキャリア（Ｃｏｍｐｏｎｅｎｔ  Ｃａｒｒｉｅｒ）と呼ばれる。【０００５】
ところで、複数のセルを具備する移動通信システムでは、移動局ＵＥ（Ｕｓｅｒ  Ｅｑｕｉｐｍｅｎｔ：ユーザ装置）は、１つのセルから他のセルに移動するときに、セルを切り替えて通信を継続するように構成されている。かかるセルの切り替えを「ハンドオーバ」という。【０００６】
一般的に、移動通信システムでは、移動局ＵＥが、隣接セルに移動し、かかる移動局ＵＥにおいて、隣接セルからの信号の無線品質が、サービングセル（Ｓｅｒｖｉｎｇ  Ｃｅｌｌ）からの信号の無線品質よりも強くなった場合に、当該移動局ＵＥは、隣接セルにハンドオーバを行うように構成されている。【０００７】
なお、前記信号の無線品質として、例えば、信号の受信電力が用いられる。ここで、前記信号の受信電力は、より具体的には、例えば、隣接セル又はサービングセルから送信される、下りリンクの参照信号（Ｒｅｆｅｒｅｎｃｅ  Ｓｉｇｎａｌ）の受信電力（ＲＳＲＰ：Ｒｅｆｅｒｅｎｃｅ  Ｓｉｇｎａｌ  Ｒｅｃｅｉｖｅｄ  Ｐｏｗｅｒ）である（ＲＳＲＰの定義については、ＴＳ３６．２１４、Ｖ８．３．０を参照）。なお、前記信号の無線品質として、前記ＲＳＲＰの代わりに、下りリンクの参照信号の受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）や下りリンクの参照信号のＳＩＲ（ＲＳ−ＳＩＲ）、ＣＱＩ（Ｃｈａｎｎｅｌ  Ｑｕａｌｉｔｙ  Ｉｎｄｉｃａｔｏｒ）、ＣＳＩ（Ｃｈａｎｎｅｌ  Ｓｔａｔｅ  Ｉｎｆｏｒｍａｔｉｏｎ）等が用いられることもある。【０００８】
図１及び図２を参照して、かかるハンドオーバ手順の一例について、具体的に説明する。以下の説明では、信号の受信電力（ＲＳＲＰ）が、前記信号の無線品質として用いられる。【０００９】
図１に示すように、ステップＳ１において、移動局ＵＥは、サービングセル及び隣接セルからの信号の受信電力を測定する。また、移動局ＵＥは、検知していない隣接セルを検知するために、前記測定と並行して、セルサーチを行ってもよい。本処理における、セルサーチ、及び、サービングセル及び隣接セルの無線品質（受信電力）の測定は、総称して、メジャメント（Ｍｅａｓｕｒｅｍｅｎｔ）と呼ばれてもよい。【００１０】
ステップＳ２において、移動局ＵＥは、隣接セルからの信号の受信電力が、以下の（式１）を満たすか否かについて判定する。【００１１】
隣接セルからの信号の受信電力  ＋  ヒステリシス  ＞  サービングセルからの信号の受信電力  …  （式１）
かかる（式１）が満たされていると判定された場合、ステップＳ２において、移動局ＵＥは、上述の測定結果を報告するためのイベントＡ３を、ネットワークに対して通知する。【００１２】
具体的には、移動局ＵＥは、図２に示すように、サービングセル（セルＡ）及び監視対象である周辺セル（セルＢ）からの信号の受信電力を測定し、予め通知されている「ヒステリシス［ｄＢ］」及び「ＴＴＴ（Ｔｉｍｅ  Ｔｏ  Ｔｒｉｇｇｅｒ）［ｍｓ］」を用いて、上述の測定結果を通知するか否かについて判定する。【００１３】
つまり、図２において、所定期間「ＴＴＴ」以上、セルＢからの信号の受信電力（無線品質）が、「ヒステリシス」以上、セルＡからの信号の受信電力（無線品質）よりも上回っている状態が継続している場合、移動局ＵＥは、上述の測定結果（Ｍｅａｓｕｒｅｍｅｎｔ  ｒｅｐｏｒｔ）を通知するべきであると判定する。【００１４】
ここで、「ヒステリシス」は、セル境界でサービングセルから隣接セルへのハンドオーバが頻繁に生じないために設けられる値であり、正の値でもよく、負の値でもよいが、一般的には負の値が設定される。【００１５】
そして、ステップＳ３において、ネットワークは、イベントＡ３の通知を受信すると、かかる移動局ＵＥが、受信したイベントＡ３に係るセルに対してハンドオーバすべきであることを決定する。【００１６】
なお、（式１）は、以下の（式２）のような形がとられる場合もある。（式２）の場合、ヒステリシスとオフセットの両方が、ヒステリシス的に動作する。【００１７】
隣接セルからの信号の受信電力  ―  ヒステリシス  ＞  サービングセルからの信号の受信電力  ＋  オフセット  …  （式２）
キャリアアグリゲーションを行う場合、一般に、移動局ＵＥは、各コンポーネントキャリアに関して、上述したサービングセル及び隣接セルからの信号の受信電力の測定やＭｅａｓｕｒｅｍｅｎｔ  ｒｅｐｏｒｔの送信を行う。
【先行技術文献】
【非特許文献】
【００１８】
【非特許文献１】３ＧＰＰ  ＴＳ３６.９１３  Ｖ８.０.１
【非特許文献２】３ＧＰＰ  ＴＳ３６.３００  Ｖ８.５.０（２００８-０５）
【発明の概要】
【発明が解決しようとする課題】
【００１９】
上述したように、キャリアアグリゲーションを行う場合には、各コンポーネントキャリアに関して、上述したサービングセル及び隣接セルからの信号の無線品質の測定やＭｅａｓｕｒｅｍｅｎｔ  ｒｅｐｏｒｔの送信が行われる。【００２０】
しかしながら、各コンポーネントキャリアに関して、上述したサービングセル及び隣接セルからの信号の無線品質の測定やＭｅａｓｕｒｅｍｅｎｔ  ｒｅｐｏｒｔの送信が行われる場合、Ｍｅａｓｕｒｅｍｅｎｔ  ｒｅｐｏｒｔの数が、コンポーネントキャリア数分だけ増えるため、制御信号のオーバヘッドが増大し、結果として、システムの効率が劣化するという問題がある。【００２１】
より具体的に、図３を用いて、前記課題を説明する。図３においては、横軸は、移動局ＵＥの位置を示す軸であり、縦軸は、周波数或いはキャリアを示す軸である。【００２２】
すなわち、図３の「コンポーネントキャリアが２つの場合」においては、上段のセルが、コンポーネントキャリア＃１のセル（Ｃｅｌｌ＃１-Ａ、Ｃｅｌｌ＃１-Ｂ、Ｃｅｌｌ＃１-Ｃ、Ｃｅｌｌ＃１-Ｄ）を示し、下段のセルが、コンポーネントキャリア＃２のセル（Ｃｅｌｌ＃２-Ａ、Ｃｅｌｌ＃２-Ｂ、Ｃｅｌｌ＃２-Ｃ、Ｃｅｌｌ＃２-Ｄ）を示す。【００２３】
例えば、図３に示すように、コンポーネントキャリアが１つである場合に比べて、コンポーネントキャリアが２つである場合に、Ｍｅａｓｕｒｅｍｅｎｔ  ｒｅｐｏｒｔの数が２倍になる。【００２４】
また、一般に、キャリアアグリゲーションが行われる複数のセルは、同一の無線基地局内に閉じており、複数の無線基地局からのセルを用いたキャリアアグリゲーションは行われない。【００２５】
この場合、無線基地局間のハンドオーバを行う場合には、適切にハンドオーバを行わなければ、通信品質が劣化する、或いは、通信品質を最適化できないという問題がある。【００２６】
より具体的には、無線基地局間のハンドオーバを行う場合には、キャリアアグリゲーションを行っている全てのコンポーネントキャリアを考慮したハンドオーバが必要となるため、各コンポーネントキャリアに関して、信号の無線品質の測定及びＭｅａｓｕｒｅｍｅｎｔ  ｒｅｐｏｒｔの送信を行った場合に、その他のコンポーネントキャリアの通信品質が劣化し、結果として、システムの効率利用が困難となるという課題がある。【００２７】
さらに、より具体的に、図４を用いて、前記課題を説明する。図４においても、横軸は、移動局ＵＥの位置を示す軸であり、縦軸は、周波数或いはキャリアを示す軸である。また、Ｃｅｌｌ＃１-Ａ、Ｃｅｌｌ＃１-Ｂ、Ｃｅｌｌ＃２-Ａ、Ｃｅｌｌ＃２-Ｂが、無線基地局＃ａに属しているセルであり、Ｃｅｌｌ＃１-Ｃ、Ｃｅｌｌ＃１-Ｄ、Ｃｅｌｌ＃２-Ｃが、無線基地局＃ｂに属しているセルである。【００２８】
図４に示す例では、コンポーネントキャリア＃１に関する無線基地局＃ａから無線基地局＃ｂへのハンドオーバポイントは、Ｐｏｉｎｔ１０であり、コンポーネントキャリア＃２に関する無線基地局＃ａから無線基地局＃ｂへのハンドオーバポイントは、Ｐｏｉｎｔ２０であるため、コンポーネントキャリア＃１とコンポーネントキャリア＃２とで、無線基地局間のハンドオーバを行うポイントが異なる。【００２９】
この場合、Ｐｏｉｎｔ１０において、移動局ＵＥがンポーネントキャリア＃１に関するハンドオーバ（Ｃｅｌｌ＃１-ＢからＣｅｌｌ＃１-Ｃへのハンドオーバ）を行う場合に、Ｃｅｌｌ＃２-Ｂとの接続が削除される必要がある。【００３０】
この場合、Ｃｅｌｌ＃２-Ｂとの接続が削除される代わりに、Ｃｅｌｌ＃２-Ｃとの接続が追加されてもよいが、Ｃｅｌｌ＃２-Ｃの無線品質が良くない場合には、逆に、通信品質が劣化してしまう場合がある。【００３１】
或いは、Ｐｏｉｎｔ１０において、移動局ＵＥがンポーネントキャリア＃１に関するハンドオーバ（Ｃｅｌｌ＃１-ＢからＣｅｌｌ＃１-Ｃへのハンドオーバ）を行う代わりに、Ｃｅｌｌ＃１-Ｂとの接続が削除され、Ｃｅｌｌ＃２-Ｂとの接続が継続されてもよい。【００３２】
しかしながら、Ｃｅｌｌ＃１-Ｂとの接続が維持されるべきか、Ｃｅｌｌ＃２-Ｂとの接続が削除されるべきかは、例えば、無線品質で判断されるべきだが、各コンポーネントキャリアに関して、サービングセル及び隣接セルからの信号の無線品質の測定やＭｅａｓｕｒｅｍｅｎｔ  ｒｅｐｏｒｔの送信が行われる場合には、適切なタイミングで関連する複数のコンポーネントキャリアの無線品質の測定を行うことは困難である。【００３３】
そこで、本発明は、上述の課題に鑑みてなされたものであり、キャリアアグリゲーション時において、効率的にハンドオーバを行うことにより、システムの効率化、及び、接続性の安定性を実現することができる無線基地局及び通信制御方法を提供することを目的とする。
【課題を解決するための手段】
【００３４】
本実施形態の第１の特徴は、２つ以上のキャリアを用いて移動局と通信を行う無線基地局であって、前記移動局に対して、通信中のセル又は隣接セルの無線品質の測定を指示する制御信号を送信するように構成されている測定指示部と、前記移動局から、前記２つ以上のキャリア内の各キャリアに関する測定結果を受信するように構成されている受信部と、前記測定結果に基づいて、前記移動局に対して、前記移動局との通信状態の変更を指示するように構成されているハンドオーバ制御部とを具備し、前記ハンドオーバ制御部は、前記測定結果を受信したキャリアに関する測定結果と、前記キャリア以外のキャリアに関する測定結果とに基づいて、前記移動局に対して、前記移動局との通信状態の変更を行うか否かについて判定するように構成されていることを要旨とする。【００３５】
本実施形態の第２の特徴は、２つ以上のキャリアを用いて移動局と通信を行う無線基地局における通信制御方法であって、前記移動局に対して、通信中のセル又は隣接セルの無線品質の測定を指示する制御信号を送信する第１ステップと、前記移動局から、前記２つ以上のキャリア内の各キャリアに関する測定結果を受信する第２ステップと、前記測定結果に基づいて、前記移動局に対して、前記移動局との通信状態の変更を指示する第３ステップとを備え、前記第３ステップにおいて、前記測定結果を受信したキャリアに関する測定結果と、前記キャリア以外のキャリアに関する測定結果とに基づいて、前記移動局に対して、前記移動局との通信状態の変更を行うか否かについて判定することを要旨とする。
【発明の効果】
【００３６】
以上説明したように、本発明によれば、キャリアアグリゲーション時において、効率的にハンドオーバを行うことにより、システムの効率化、及び、接続性の安定性を実現することができる無線基地局及び通信制御方法を提供することができる。
【図面の簡単な説明】
【００３７】
【図１】従来の移動通信システムについて説明するための図である。
【図２】従来の移動通信システムについて説明するための図である。
【図３】従来の移動通信システムおける課題について説明するための図である。
【図４】従来の移動通信システムおける課題について説明するための図である。
【図５】本発明の第１の実施形態に係る移動通信システムの構成図の一例を示す図である。
【図６】本発明の第１の実施形態に係る移動通信システムの構成図の一例を示す図である。
【図７】本発明の第１の実施形態に係る移動通信システムの構成図の一例を示す図である。
【図８】本発明の第１の実施形態に係る移動通信システムの構成図の一例を示す図である。
【図９】本発明の第１の実施形態に係る移動局ＵＥの機能ブロック図である。
【図１０】本発明の第１の実施形態に係る無線基地局ｅＮＢの機能ブロック図である。
【図１１】本発明の第１の実施形態の移動局ＵＥにおける通信制御方法を示すフローチャート図である。
【図１２】本発明の第１の実施形態の無線基地局ｅＮＢにおける通信制御方法を示すフローチャート図である。
【図１３】本発明の第１の実施形態の効果を説明するための図である。
【図１４】本発明の第１の実施形態の効果を説明するための図である。
【図１５】本発明の第１の実施形態の無線基地局ｅＮＢにおける通信制御方法を示すフローチャート図である。
【図１６】本発明の第１の実施形態の無線基地局ｅＮＢにおける通信制御方法を示すフローチャート図である。
【図１７】本発明の第１の実施形態の無線基地局ｅＮＢにおける通信制御方法を示すフローチャート図である。
【発明を実施するための形態】
【００３８】
（本発明の第１の実施形態に係る移動通信システムの構成）
以下、本発明の第１の実施形態に係る移動通信システムについて、図面を参照しつつ説明する。本実施形態を説明するための全図において、同一機能を有するものは同一符号を用い、繰り返しの説明は省略する。
【００３９】
本実施形態に係る移動通信システムは、例えば、ＬＴＥ-Ａｄｖａｎｃｅｄ方式が適用されるシステムである。すなわち、本実施形態に係る移動通信システムは、無線基地局ｅＮＢと、無線基地局ｅＮＢと通信する移動局ＵＥとを具備し、無線基地局ｅＮＢと移動局ＵＥは、ＬＴＥ-Ａｄｖａｎｃｅｄ方式を用いて、通信を行う。なお、移動局ＵＥは、ユーザ装置と呼ばれてもよい。
【００４０】
ＬＴＥ-Ａｄｖａｎｃｅｄ方式が適用される場合には、「キャリアアグリゲーション（Ｃａｒｒｉｅｒ Ａｇｇｒｅｇａｔｉｏｎ）」が適用されてもよい。すなわち、上りリンク又は下りリンクにおいて、「Ｃｏｍｐｏｎｅｎｔ  Ｃａｒｒｉｅｒ（コンポーネントキャリア）」を複数用いた通信が行われる。
【００４１】
なお、以下の説明における「キャリアアグリゲーションを行って通信を行っているセル」すなわち「キャリアアグリゲーションにより通信中のセル（サービングセル）」は、「プライマリセル(Ｐｒｉｍａｒｙ  Ｃｅｌｌ、Ｐｃｅｌｌ)」又は「セカンダリセル（Ｓｅｃｏｎｄａｒｙ  Ｃｅｌｌ、Ｓｃｅｌｌ）」と呼ばれてもよい。
【００４２】
ここで、プライマリセルとは、キャリアアグリゲーションにより通信を行っているサービングセルの内、最も重要なセルのことであり、それ以外のセルが、セカンダリセルとなる。すなわち、移動局ＵＥと無線基地局ｅＮＢとの間では、１つのプライマリセル及び１つ以上のセカンダリセルにより、キャリアアグリゲーションによる通信が行われる。
【００４３】
また、プライマリセルが属する周波数は、「プライマリコンポーネントキャリア（Ｐｒｉｍａｒｙ  Ｃｏｍｐｏｎｅｎｔ  Ｃａｒｒｉｅｒ）」と呼ばれてもよい。また、セカンダリセルが属する周波数は、「セカンダリコンポーネントキャリア（Ｓｅｃｏｎｄａｒｙ  Ｃｏｍｐｏｎｅｎｔ  Ｃａｒｒｉｅｒ）」と呼ばれてもよい。
【００４４】
ここで、「Ｃｏｍｐｏｎｅｎｔ  Ｃａｒｒｉｅｒ」とは、ＬＴＥ方式における１つのシステムキャリアに相当する。すなわち、ＬＴＥ方式では、１つの「Ｃｏｍｐｏｎｅｎｔ  Ｃａｒｒｉｅｒ」で通信が行われていたが、ＬＴＥ-Ａｄｖａｎｃｅｄ方式では、２つ以上の「Ｃｏｍｐｏｎｅｎｔ  Ｃａｒｒｉｅｒ」で通信が行われてもよい。
【００４５】
図５乃至図８に示すように、本実施形態に係る移動通信システムでは、８００Ｍｚ帯（第１周波数帯域。図中ではＦ１）内のキャリア（コンポーネントキャリア）が用いられるセル（第１通信エリア）と、２ＧＨｚ帯（第２周波数帯域。図中ではＦ２）内のキャリア（コンポーネントキャリア）が用いられるセル（第２通信エリア）とが、地理的に重複している。なお、図６、７、８においては、少なくとも一部で地理的に重複している。
【００４６】
また、図５乃至図８には示されていないが、前記第１周波数帯域と第２周波数帯域に加えて、第３周波数帯域が存在してもよい。第３周波数帯域は、例えば、１.７ＧＨｚ帯であってもよい。
【００４７】
また、いずれかの周波数帯域に複数のコンポーネントキャリアが設定されていてもよい。全ての周波数帯域を用いてキャリアアグリゲーションを行う必要はなく、その内の一部の周波数帯域を用いてキャリアアグリゲーションが行われてもよい。また、ある周波数帯域に複数のコンポーネントキャリアが設定されている場合に、その内の一部のコンポーネントキャリアを用いてキャリアアグリゲーションが行われてもよい。
【００４８】
以下の説明では、第１周波数帯域のコンポーネントキャリア（以下、第１キャリアと呼ぶ）と、第２周波数帯域のコンポーネントキャリア（以下、第２キャリアと呼ぶ）とを用いて、キャリアアグリゲーションが行われると想定する。
【００４９】
また、第３周波数帯域のコンポーネントキャリア（以下、第３キャリア）に関しては、キャリアアグリゲーションは行われないが、移動局ＵＥは、第３キャリアに含まれるセルのＭｅａｓｕｒｅｍｅｎｔを行うと想定する。
【００５０】
なお、第３キャリアに含まれるセルのＭｅａｓｕｒｅｍｅｎｔを行うことにより、例えば、第３キャリアのセルの無線品質が良くなった場合に、かかるセルにハンドオーバを行う、或いは、かかるセルとキャリアアグリゲーションを行うといったことが考えられる。
【００５１】
なお、移動局ＵＥは、例えば、第３キャリアのセルをＭｅａｓｕｒｅｍｅｎｔすることを指示されていない場合には、第３キャリアのセルのＭｅａｓｕｒｅｍｅｎｔを行わなくてもよい。
【００５２】
なお、図５乃至図８に示す「Ｆ１：８００ＭＨｚ」及び「Ｆ２：２ＧＨｚ」は、一例であり、その他の周波数帯域のキャリア（コンポーネントキャリア）、例えば、３．５ＧＨｚ帯のキャリアや２.６ＧＨｚ帯のキャリアが用いられてもよい。また、２つのキャリアではなく、３つ以上のキャリアが用いられてもよい。
【００５３】
ところで、かかる第１周波数帯域や第２周波数帯域は、周波数バンド（Ｆｒｅｑｕｅｎｃｙ  Ｂａｎｄ）と呼ばれてもよい。ＬＴＥ方式或いはＬＴＥ-Ａｄｖａｎｃｅｄ方式における周波数バンドは、３ＧＰＰ  ＴＳ３６.１０１の「５.５  Ｏｐｅｒａｔｉｎｇ  ｂａｎｄｓ」に規定されている。
【００５４】
例えば、Ｂａｎｄ１における上りリンクの周波数は、１９２０ＭＨｚから１９８０ＭＨｚであり、Ｂａｎｄ１９における上りリンクの周波数は、８３０ＭＨｚから８４５ＭＨｚである。
【００５５】
本実施形態に係る移動通信システムでは、下りリンクにおいて、各移動局ＵＥで共有される「物理下りリンク共有チャネル（ＰＤＳＣＨ）」及び「物理下りリンク制御チャネル（ＰＤＣＣＨ：Ｐｈｙｓｉｃａｌ  Ｄｏｗｎｌｉｎｇ  Ｃｏｎｔｒｏｌ  Ｃｈａｎｎｅｌ）」が用いられる。
【００５６】
「物理下りリンク共有チャネル（ＰＤＳＣＨ）」を介して、ユーザデータ、すなわち、通常のデータ信号が伝送される。
【００５７】
また、「物理下りリンク制御チャネル（ＰＤＣＣＨ）」を介して、「物理下りリンク共有チャネル（ＰＤＳＣＨ）」を用いて通信を行う移動局ＵＥのＩＤやユーザデータのトランスポートフォーマットの情報（すなわち、下りスケジューリング情報）や、「物理上りリンク共有チャネル（ＰＵＳＣＨ）」を用いて通信を行う移動局ＵＥのＩＤやユーザデータのトランスポートフォーマットの情報（すなわち、上りスケジューリンググラント）等の制御信号が通知される。
【００５８】
「物理下りリンク制御チャネル（ＰＤＣＣＨ）」は、「下りＬ１/Ｌ２制御チャネル（Ｄｏｗｎｌｉｎｋ  Ｌ１/Ｌ２  Ｃｏｎｔｒｏｌ  Ｃｈａｎｎｅｌ）」と呼ばれてもよい。また、「下りスケジューリング情報」や「上りスケジューリンググラント」は、まとめて、「下りリンク制御情報（ＤＣＩ）」と呼ばれてもよい。
【００５９】
また、下りリンクにおいては、報知情報が、論理チャネルとしての「ＢＣＣＨ：Ｂｒｏａｄｃａｓｔ  Ｃｏｎｔｒｏｌ  Ｃｈａｎｎｅｌ」にマッピングされて送信される。
【００６０】
ここで、「ＢＣＣＨ」を介して送信される情報の一部は、トランスポートチャネルである「ＢＣＨ：Ｂｒｏａｄｃａｓｔ  Ｃｈａｎｎｅｌ」にマッピングされ、「ＢＣＨ」にマッピングされた情報は、物理チャネルである「Ｐ-ＢＣＨ：Ｐｈｙｓｉｃａｌ  Ｂｒｏａｄｃａｓｔ  Ｃｈａｎｎｅｌ」を介して、該当するセル内の移動局ＵＥに送信される。
【００６１】
また、「ＢＣＣＨ」を介して送信される情報の一部は、トランスポートチャネルである「ＤＬ-ＳＣＨ：Ｄｏｗｎｌｉｎｋ  Ｓｈａｒｅｄ  Ｃｈａｎｎｅｌ」にマッピングされ、「ＤＬ-ＳＣＨ」にマッピングされた情報は、物理チャネルである「物理下りリンク共有チャネル（ＰＤＳＣＨ）」を介して、該当するセル内の移動局ＵＥに送信される。
【００６２】
本実施形態に係る移動通信システムでは、上りリンクにおいて、各移動局ＵＥで共有して使用される「物理上りリンク共有チャネル（ＰＵＳＣＨ）」及び「物理上りリンク制御チャネル（ＰＵＣＣＨ）」が用いられる。
【００６３】
かかる「物理上りリンク共有チャネル（ＰＵＳＣＨ）」により、ユーザデータ、すなわち、通常のデータ信号が伝送される。
【００６４】
また、「物理上りリンク制御チャネル（ＰＵＣＣＨ）」により、「物理下りリンク共有チャネル（ＰＤＳＣＨ）」のスケジューリング処理や適応変復調及び符号化処理（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：Ｃｈａｎｎｅｌ  Ｑｕａｌｉｔｙ  Ｉｎｄｉｃａｔｏｒ）、及び、「物理上りリンク共有チャネル（ＰＵＳＣＨ）」における送達確認情報（Ａｃｋｎｏｗｌｅｄｇｅｍｅｎｔ  Ｉｎｆｏｒｍａｔｉｏｎ）が伝送される。
【００６５】
かかる下りリンクの品質情報は、「ＣＱＩ」や「ＰＭＩ（Ｐｒｅ-ｃｏｄｉｎｇ  Ｍａｔｒｉｘ  Ｉｎｄｉｃａｔｏｒ）」や「ＲＩ（Ｒａｎｋ  Ｉｎｄｉｃａｔｏｒ）」をまとめたインディケータである「ＣＳＩ（Ｃｈａｎｎｅｌ  Ｓｔａｔｅ  Ｉｎｄｉｃａｔｏｒ）」と呼ばれてもよい。
【００６６】
また、かかる送達確認情報の内容は、送信信号が適切に受信されたことを示す肯定応答（ＡＣＫ：Ａｃｋｎｏｗｌｅｄｇｅｍｅｎｔ）又は送信信号が適切に受信されなかったことを示す否定応答（ＮＡＣＫ：Ｎｅｇａｔｉｖｅ  Ａｃｋｎｏｗｌｅｄｇｅｍｅｎｔ）の何れかで表現される。
【００６７】
図９に示すように、移動局ＵＥは、第１キャリア測定部１０２Ａと、第２キャリア測定部１０２Ｂと、第３キャリア測定部１０２Ｃと、判定部１０４と、Ｍｅａｓｕｒｅｍｅｎｔ  ｒｅｐｏｒｔ送信部１０６と、Ｍｅａｓｕｒｅｍｅｎｔ制御信号受信部１０８とを具備している。
【００６８】
第１キャリア測定部１０２Ａと、第２キャリア測定部１０２Ｂと、第３キャリア測定部１０２Ｃと、判定部１０４と、Ｍｅａｓｕｒｅｍｅｎｔ  ｒｅｐｏｒｔ送信部１０６と、Ｍｅａｓｕｒｅｍｅｎｔ制御信号受信部１０８とは、互いに接続されている。
【００６９】
第１キャリア測定部１０２Ａ、第２キャリア測定部１０２Ｂ、第３キャリア測定部１０２Ｃは、まとめて、キャリア測定部１０２と呼ばれてもよい。
【００７０】
第１キャリア測定部１０２Ａは、第１キャリアのセルに関するＭｅａｓｕｒｅｍｅｎｔを行う。
【００７１】
ここで、前記Ｍｅａｓｕｒｅｍｅｎｔとは、隣接セルのセルサーチ、及び、隣接セル又はサービングセルの無線品質の測定を指す。
【００７２】
前記無線品質とは、例えば、ＲＳＲＰやＲＳＲＱ（Ｒｅｆｅｒｅｎｃｅ  Ｓｉｇｎａｌ  Ｒｅｃｅｉｖｅｄ  Ｑｕａｌｉｔｙ）やＲＳ（Ｒｅｆｅｒｅｎｃｅ  Ｓｉｇｎａｌ）のＳＩＲであってもよい。或いは、前記無線品質とは、ＣＱＩ（Ｃｈａｎｎｅｌ  Ｑｕａｌｉｔｙ  Ｉｎｄｉｃａｔｏｒ）やＣＳＩ（Ｃｈａｎｎｅｌ  Ｓｔａｔｅ  Ｉｎｆｏｒｍａｔｉｏｎ）であってもよい。
【００７３】
そして、第１キャリア測定部１０２Ａは、前記第１キャリアのセルに関する無線品質の測定結果、すなわち、ＲＳＲＰやＲＳＲＱ、ＲＳのＳＩＲ等を、判定部１０４及びＭｅａｓｕｒｅｍｅｎｔ  ｒｅｐｏｒｔ送信部１０６に送付する。
【００７４】
第２キャリア測定部１０２Ｂは、第２キャリアのセルに関するＭｅａｓｕｒｅｍｅｎｔを行う。そして、第２キャリア測定部１０２Ｂは、前記第２キャリアのセルに関する無線品質の測定結果、すなわち、ＲＳＲＰやＲＳＲＱ、ＲＳのＳＩＲ等を、判定部１０４及びＭｅａｓｕｒｅｍｅｎｔ  ｒｅｐｏｒｔ送信部１０６に送付する。
【００７５】
第３キャリア測定部１０２Ｃは、第３キャリアのセルに関するＭｅａｓｕｒｅｍｅｎｔを行う。そして、第３キャリア測定部１０２Ｃは、前記第３キャリアのセルに関する無線品質の測定結果、すなわち、ＲＳＲＰやＲＳＲＱ、ＲＳのＳＩＲ等を、判定部１０４及びＭｅａｓｕｒｅｍｅｎｔ  ｒｅｐｏｒｔ送信部１０６に送付する。
【００７６】
判定部１０４は、第１キャリア測定部１０２Ａより、前記第１キャリアのセルに関する無線品質の測定結果を受け取り、第２キャリア測定部１０２Ｂより、前記第２キャリアのセルに関する無線品質の測定結果を受け取り、第３キャリア測定部１０２Ｃより、前記第３キャリアのセルに関する無線品質の測定結果を受け取る。
【００７７】
そして、判定部１０４は、第１キャリアに関して、Ｍｅａｓｕｒｅｍｅｎｔ  ｒｅｐｏｒｔを送信するか否かを判定する。
【００７８】
以下に、判定部１０４がＭｅａｓｕｒｅｍｅｎｔ  ｒｅｐｏｒｔを送信するか否かを判定する処理の例を示す。なお、以下の例では、隣接セル又はサービングセルの無線品質として、セルからの信号の受信電力、すなわち、ＲＳＲＰが測定される場合を示す。
【００７９】
例えば、判定部１０４は、第１キャリアに関して、イベントＡ３の判定を行ってもよい。すなわち、判定部１０４は、隣接セルからの信号の受信電力（ＲＳＲＰ）が、以下の（式３）を満たすか否かについて判定し、かかる（式３）が満たされていると判定された場合、当該イベントＡ３の測定結果をＭｅａｓｕｒｅｍｅｎｔ  ｒｅｐｏｒｔとして、無線基地局ｅＮＢに通知すると判定してもよい。
【００８０】
隣接セルからの信号の受信電力  ＋  ヒステリシス  ＞  サービングセルからの信号の受信電力  …  （式３）
判定部１０４は、無線基地局ｅＮＢにＭｅａｓｕｒｅｍｅｎｔ  ｒｅｐｏｒｔを通知すると判定した場合に、その判定結果をＭｅａｓｕｒｅｍｅｎｔ  ｒｅｐｏｒｔ送信部１０６に通知する。
【００８１】
なお、上述した「無線基地局ｅＮＢにＭｅａｓｕｒｅｍｅｎｔ  ｒｅｐｏｒｔを通知すると判定する」という動作は、「イベント（この場合、イベントＡ３）がトリガーされる」と表現されてもよい。
【００８２】
或いは、例えば、判定部１０４は、第１キャリアに関して、イベントＡ１の判定を行ってもよい。すなわち、判定部１０４は、サービングセルからの信号の受信電力が、以下の（式４）を満たすか否かについて判定し、かかる（式４）が満たされていると判定された場合、当該イベントＡ１の測定結果をＭｅａｓｕｒｅｍｅｎｔ  ｒｅｐｏｒｔとして、無線基地局ｅＮＢに通知すると判定してもよい。
【００８３】
サービングセルからの信号の受信電力    ＞  第１の閾値  …  （式４）
判定部１０４は、無線基地局ｅＮＢにＭｅａｓｕｒｅｍｅｎｔ  ｒｅｐｏｒｔを通知すると判定した場合に、その判定結果をＭｅａｓｕｒｅｍｅｎｔ  ｒｅｐｏｒｔ送信部１０６に通知する。
【００８４】
なお、上述した「無線基地局ｅＮＢにＭｅａｓｕｒｅｍｅｎｔ  ｒｅｐｏｒｔを通知すると判定する」という動作は、「イベント（この場合、イベントＡ１）がトリガーされる」と表現されてもよい。
【００８５】
或いは、例えば、判定部１０４は、第１キャリアに関して、イベントＡ２の判定を行ってもよい。すなわち、判定部１０４は、サービングセルからの信号の受信電力が、以下の（式５）を満たすか否かについて判定し、かかる（式５）が満たされていると判定された場合、当該イベントＡ２の測定結果をＭｅａｓｕｒｅｍｅｎｔ  ｒｅｐｏｒｔとして、無線基地局ｅＮＢに通知すると判定してもよい。
【００８６】
サービングセルからの信号の受信電力    ＜  第２の閾値  …  （式５）
判定部１０４は、無線基地局ｅＮＢにＭｅａｓｕｒｅｍｅｎｔ  ｒｅｐｏｒｔを通知すると判定した場合に、その判定結果をＭｅａｓｕｒｅｍｅｎｔ  ｒｅｐｏｒｔ送信部１０６に通知する。
【００８７】
なお、上述した「無線基地局ｅＮＢにＭｅａｓｕｒｅｍｅｎｔ  ｒｅｐｏｒｔを通知すると判定する」という動作は、「イベント（この場合、イベントＡ２）がトリガーされる」と表現されてもよい。
【００８８】
或いは、例えば、判定部１０４は、第１キャリアに関して、イベントＡ４の判定を行ってもよい。すなわち、判定部１０４は、サービングセルからの信号の受信電力が、以下の（式６）を満たすか否かについて判定し、かかる（式６）が満たされていると判定された場合、当該イベントＡ４の測定結果をＭｅａｓｕｒｅｍｅｎｔ  ｒｅｐｏｒｔとして、無線基地局ｅＮＢに通知すると判定してもよい。
【００８９】
隣接セルからの信号の受信電力    ＞  第５の閾値  …  （式６）
判定部１０４は、無線基地局ｅＮＢにＭｅａｓｕｒｅｍｅｎｔ  ｒｅｐｏｒｔを通知すると判定した場合に、その判定結果をＭｅａｓｕｒｅｍｅｎｔ  ｒｅｐｏｒｔ送信部１０６に通知する。
【００９０】
なお、上述した「無線基地局ｅＮＢにＭｅａｓｕｒｅｍｅｎｔ  ｒｅｐｏｒｔを通知すると判定する」という動作は、「イベント（この場合、イベントＡ４）がトリガーされる」と表現されてもよい。
【００９１】
或いは、例えば、判定部１０４は、第１キャリアに関して、イベントＡ５の判定を行ってもよい。すなわち、判定部１０４は、サービングセルからの信号の受信電力及び隣接セルからの信号の電力が、以下の（式７）を満たすか否かについて判定し、かかる（式７）が満たされていると判定された場合、当該イベントＡ５の測定結果をＭｅａｓｕｒｅｍｅｎｔ  ｒｅｐｏｒｔとして、無線基地局ｅＮＢに通知すると判定してもよい。
【００９２】
サービングセルからの信号の受信電力    ＜  第３の閾値  、かつ、
隣接セルからの信号の受信電力    ＞  第４の閾値  …  （式７）
判定部１０４は、無線基地局ｅＮＢにＭｅａｓｕｒｅｍｅｎｔ  ｒｅｐｏｒｔを通知すると判定した場合に、その判定結果をＭｅａｓｕｒｅｍｅｎｔ  ｒｅｐｏｒｔ送信部１０６に通知する。
【００９３】
なお、上述した「無線基地局ｅＮＢにＭｅａｓｕｒｅｍｅｎｔ  ｒｅｐｏｒｔを通知すると判定する」という動作は、「イベント（この場合、イベントＡ５）がトリガーされる」と表現されてもよい。
【００９４】
ここで、判定部１０４は、イベントＡ１乃至Ａ５の代わりに、イベントＡ１乃至Ａ５以外のイベント、すなわち、イベントＢ１、Ｂ２等に関して、Ｍｅａｓｕｒｅｍｅｎｔ  ｒｅｐｏｒｔを送信するか否かを判定してもよい。
【００９５】
或いは、判定部１０４は、上記以外のイベントに関しても、同様にそのイベントの判定を行い、Ｍｅａｓｕｒｅｍｅｎｔ  ｒｅｐｏｒｔを送信するか否かの判定を行ってもよい。
【００９６】
また、判定部１０４は、周期的にＭｅａｓｕｒｅｍｅｎｔ  ｒｅｐｏｒｔを送信すると判定してもよい。すなわち、判定部１０４は、周期的に、Ｍｅａｓｕｒｅｍｅｎｔ  ｒｅｐｏｒｔ送信部１０６に対して、Ｍｅａｓｕｒｅｍｅｎｔ  ｒｅｐｏｒｔの送信を指示してもよい。
【００９７】
或いは、判定部１０４は、上述したようなイベントの判定に基づくＭｅａｓｕｒｅｍｅｎｔ  ｒｅｐｏｒｔの送信の判定を行い、かつ、そのＭｅａｓｕｒｅｍｅｎｔ  ｒｅｐｏｒｔの送信タイミングを起点として、周期的にＭｅａｓｕｒｅｍｅｎｔ  ｒｅｐｏｒｔの送信を行うと判定してもよい。
【００９８】
すなわち、判定部１０４は、Ｍｅａｓｕｒｅｍｅｎｔ  ｒｅｐｏｒｔ送信部１０６に対して、上述したようなイベントの判定に基づくＭｅａｓｕｒｅｍｅｎｔ  ｒｅｐｏｒｔの送信を指示し、かつ、そのＭｅａｓｕｒｅｍｅｎｔ  ｒｅｐｏｒｔの送信タイミングを起点として、周期的にＭｅａｓｕｒｅｍｅｎｔ  ｒｅｐｏｒｔの送信を指示してもよい。
【００９９】
また、判定部１０４は、第２キャリアに関して、Ｍｅａｓｕｒｅｍｅｎｔ  ｒｅｐｏｒｔを送信するか否かを判定し、その判定結果をＭｅａｓｕｒｅｍｅｎｔ  ｒｅｐｏｒｔ送信部１０６に通知する。
【０１００】
なお、第２キャリアに関する、Ｍｅａｓｕｒｅｍｅｎｔ  ｒｅｐｏｒｔを送信するか否かの判定、及び、その判定結果のＭｅａｓｕｒｅｍｅｎｔ  ｒｅｐｏｒｔ送信部１０６への通知の処理は、第１キャリアに関する処理と同様であるため、その説明を省略する。
【０１０１】
また、判定部１０４は、第３キャリアに関して、Ｍｅａｓｕｒｅｍｅｎｔ  ｒｅｐｏｒｔを送信するか否かを判定し、その判定結果をＭｅａｓｕｒｅｍｅｎｔ  ｒｅｐｏｒｔ送信部１０６に通知する。
【０１０２】
なお、第３キャリアに関する、Ｍｅａｓｕｒｅｍｅｎｔ  ｒｅｐｏｒｔを送信するか否かの判定、及び、その判定結果のＭｅａｓｕｒｅｍｅｎｔ  ｒｅｐｏｒｔ送信部１０６への通知の処理は、第１キャリアに関する処理と同様であるため、その説明を省略する。
【０１０３】
なお、上述した例において、判定部１０４は、１つのキャリアに関して、Ｍｅａｓｕｒｅｍｅｎｔ  ｒｅｐｏｒｔの送信を行うか否かを判定しているが、代わりに、２つ以上のキャリアに関するＭｅａｓｕｒｅｍｅｎｔ  ｒｅｐｏｒｔの送信を行うか否かを判定してもよい。
【０１０４】
Ｍｅａｓｕｒｅｍｅｎｔ  ｒｅｐｏｒｔ送信部１０６は、第１キャリア測定部１０２Ａ及び第２キャリア測定部１０２Ｂ及び第３キャリア測定部１０２Ｃより、それぞれ、第１キャリアのセルに関する無線品質の測定結果及び第２キャリアのセルに関する無線品質の測定結果及び第３キャリアのセルに関する無線品質の測定結果を受け取る。
【０１０５】
また、Ｍｅａｓｕｒｅｍｅｎｔ  ｒｅｐｏｒｔ送信部１０６は、判定部１０４より、第１キャリア又は第２キャリア又は第３キャリアに関する、Ｍｅａｓｕｒｅｍｅｎｔ  ｒｅｐｏｒｔを送信するか否かの判定結果を受け取る。
【０１０６】
そして、Ｍｅａｓｕｒｅｍｅｎｔ  ｒｅｐｏｒｔ送信部１０６は、判定部１０４より受け取った、第１キャリアに関する、Ｍｅａｓｕｒｅｍｅｎｔ  ｒｅｐｏｒｔを送信するか否かの判定結果に基づき、無線基地局ｅＮＢに、かかるＭｅａｓｕｒｅｍｅｎｔ  ｒｅｐｏｒｔを送信する。
【０１０７】
また、Ｍｅａｓｕｒｅｍｅｎｔ  ｒｅｐｏｒｔ送信部１０６は、判定部１０４より受け取った、第２キャリアに関する、Ｍｅａｓｕｒｅｍｅｎｔ  ｒｅｐｏｒｔを送信するか否かの判定結果に基づき、無線基地局ｅＮＢに、かかるＭｅａｓｕｒｅｍｅｎｔ  ｒｅｐｏｒｔを送信する。
【０１０８】
また、Ｍｅａｓｕｒｅｍｅｎｔ  ｒｅｐｏｒｔ送信部１０６は、判定部１０４より受け取った、第３キャリアに関する、Ｍｅａｓｕｒｅｍｅｎｔ  ｒｅｐｏｒｔを送信するか否かの判定結果に基づき、無線基地局ｅＮＢに、かかるＭｅａｓｕｒｅｍｅｎｔ  ｒｅｐｏｒｔを送信する。
【０１０９】
なお、上述した例では、Ｍｅａｓｕｒｅｍｅｎｔ  ｒｅｐｏｒｔ送信部１０６は、１つのキャリアに関するＭｅａｓｕｒｅｍｅｎｔ  ｒｅｐｏｒｔを送信しているが、代わりに、複数のキャリアに関するＭｅａｓｕｒｅｍｅｎｔ  ｒｅｐｏｒｔを送信してもよい。
【０１１０】
ここで、Ｍｅａｓｕｒｅｍｅｎｔ  ｒｅｐｏｒｔ送信部１０６は、かかるＭｅａｓｕｒｅｍｅｎｔ  ｒｅｐｏｒｔを送信する場合に、判定部１０４がＭｅａｓｕｒｅｍｅｎｔ  ｒｅｐｏｒｔを無線基地局ｅＮＢに通知すると判定したキャリア以外のキャリアに関する無線品質の測定結果を、かかるＭｅａｓｕｒｅｍｅｎｔ  ｒｅｐｏｒｔに含めてもよい。
【０１１１】
すなわち、Ｍｅａｓｕｒｅｍｅｎｔ  ｒｅｐｏｒｔ送信部１０６は、かかるＭｅａｓｕｒｅｍｅｎｔ  ｒｅｐｏｒｔを送信する場合に、判定部１０４がＭｅａｓｕｒｅｍｅｎｔ  ｒｅｐｏｒｔを無線基地局ｅＮＢに通知すると判定したキャリアとは異なるキャリアに関する無線品質の測定結果を、かかるＭｅａｓｕｒｅｍｅｎｔ  ｒｅｐｏｒｔに含めてもよい。
【０１１２】
言い換えれば、かかるＭｅａｓｕｒｅｍｅｎｔ  ｒｅｐｏｒｔには、判定部１０４がＭｅａｓｕｒｅｍｅｎｔ  ｒｅｐｏｒｔを無線基地局ｅＮＢに通知すると判定したキャリアとは異なるキャリアに関する無線品質の測定結果が含まれてもよい。
【０１１３】
例えば、Ｍｅａｓｕｒｅｍｅｎｔ  ｒｅｐｏｒｔ送信部１０６は、第１キャリアに関するＭｅａｓｕｒｅｍｅｎｔ  ｒｅｐｏｒｔを送信する場合に、第２キャリアに関する無線品質の測定結果を、かかるＭｅａｓｕｒｅｍｅｎｔ  ｒｅｐｏｒｔに含めてもよい。
【０１１４】
或いは、Ｍｅａｓｕｒｅｍｅｎｔ  ｒｅｐｏｒｔ送信部１０６は、第１キャリアに関するＭｅａｓｕｒｅｍｅｎｔ  ｒｅｐｏｒｔを送信する場合に、第２キャリア及び第３キャリアに関する無線品質の測定結果を、かかるＭｅａｓｕｒｅｍｅｎｔ  ｒｅｐｏｒｔに含めてもよい。
【０１１５】
ここで、上述した、判定部１０４がＭｅａｓｕｒｅｍｅｎｔ  ｒｅｐｏｒｔを無線基地局ｅＮＢに通知すると判定したキャリア以外のキャリア（以下、その他のキャリアと呼ぶ）に関する測定結果とは、具体的には、かかるその他のキャリアにおける、無線品質が良いセルのＩＤとその無線品質であってもよい。
【０１１６】
ここで、前記無線品質が良いセルは、１個であってもよいし、２個以上であってもよい。２個以上の無線品質が良いセルが通知される場合には、無線品質が良い順に通知されてもよい。すなわち、４個の無線品質が良いセルが通知される場合には、無線品質が良い順に、上位４個のセルのＩＤとその無線品質が通知されてもよい。
【０１１７】
なお、かかる４個のセルは、前記その他のキャリアが複数存在する場合に、その１つのキャリアの４個のセルであってもよいし、全てのキャリアの中の４個のセルであってもよい。或いは、かかる４個のセルは、前記その他のキャリアが複数存在する場合に、その複数のキャリアの中の一部の複数のキャリアの中の４個のセルであってもよい。
【０１１８】
或いは、上述した、判定部１０４がＭｅａｓｕｒｅｍｅｎｔ  ｒｅｐｏｒｔを無線基地局ｅＮＢに通知すると判定したキャリア以外のキャリア（以下、その他のキャリアと呼ぶ）に関する測定結果とは、具体的には、かかるその他のキャリアにおける、キャリアアグリゲーションが行われているセルとその無線品質であってもよい。
【０１１９】
なお、かかるキャリアアグリゲーションが行われているセルは、移動局ＵＥと無線基地局ｅＮＢでリンク（接続）が構築されているセルであってもよい。すなわち、かかるキャリアアグリゲーションが行われているセルは、キャリアアグリゲーションが行われているキャリアの通信中のセルであってもよい。
【０１２０】
或いは、上述した、判定部１０４がＭｅａｓｕｒｅｍｅｎｔ  ｒｅｐｏｒｔを無線基地局ｅＮＢに通知すると判定したキャリア以外のキャリア（以下、その他のキャリアと呼ぶ）に関する測定結果とは、具体的には、キャリアアグリゲーションが行われているキャリアに関する測定結果であってもよい。なお、かかるキャリアアグリゲーションが行われているキャリアが複数存在する場合は、かかるその他のキャリアは、その一部のキャリアであってもよいし、全てのキャリアであってもよい。
【０１２１】
或いは、上述した、判定部１０４がＭｅａｓｕｒｅｍｅｎｔ  ｒｅｐｏｒｔを無線基地局ｅＮＢに通知すると判定したキャリア以外のキャリア（以下、その他のキャリアと呼ぶ）に関する測定結果とは、具体的には、かかるその他のキャリアにおける、キャリアアグリゲーションが行われているセルとその無線品質と、それ以外の無線品質が良いセルのＩＤとその無線品質であってもよい。
【０１２２】
ここで、前記無線品質が良いセルは、１個であってもよいし、２個以上であってもよい。２個以上の無線品質が良いセルが通知される場合には、無線品質が良い順に通知されてもよい。
【０１２３】
前記セルのＩＤとは、Ｐｈｙｓｉｃａｌ  Ｃｅｌｌ  ＩＤ（ＰＣＩ）であってもよい。前記無線品質とは、ＲＳＲＰやＲＳＲＱ、或いは、ＲＳのＳＩＲであってもよい。或いは、前記無線品質とは、ＣＱＩやＣＳＩであってもよい。
【０１２４】
また、前記その他のキャリアにおける前記無線品質が良いセルの数は、無線基地局ｅＮＢから移動局ＵＥに指定されてもよい。前記その他のキャリアにおける前記無線品質が良いセルの数は、Ｍｅａｓｕｒｅｍｅｎｔ制御信号受信部１０８を経由して、無線基地局ｅＮＢより、移動局ＵＥに通知されてもよい。
【０１２５】
無線基地局ｅＮＢが、移動局ＵＥに対して、前記無線品質が良いセルの数を指定することにより、不要なセルの情報が削減されるため、制御信号（Ｍｅａｓｕｒｅｍｅｎｔ  ｒｅｐｏｒｔ）のオーバヘッドが削減される。
【０１２６】
また、前記その他のキャリアは、無線基地局ｅＮＢから移動局ＵＥに指定されてもよい。例えば、前記その他のキャリアの識別情報が、Ｍｅａｓｕｒｅｍｅｎｔ制御信号受信部１０８を経由して、無線基地局ｅＮＢより、移動局ＵＥに通知されてもよい。
【０１２７】
例えば、無線基地局ｅＮＢは、移動局ＵＥに対して、第１のキャリアに関するＭｅａｓｕｒｅｍｅｎｔ  ｒｅｐｏｒｔを送信する場合に、第２のキャリアに関する無線品質の測定結果を含めるように指示してもよい。
【０１２８】
ここでは、第２のキャリアが、前記その他のキャリアに対応する。或いは、無線基地局ｅＮＢは、移動局ＵＥに対して、第１のキャリアに関するＭｅａｓｕｒｅｍｅｎｔ  ｒｅｐｏｒｔを送信する場合に、第２のキャリアと第３のキャリアに関する無線品質の測定結果を含めるように指示してもよい。ここでは、第２のキャリアと第３のキャリアが、前記その他のキャリアに対応する。
【０１２９】
なお、上述した、キャリアアグリゲーションが行われているキャリアの通信中であるセルに関しては、無線基地局ｅＮＢからの指示に関係なく、そのセルのＩＤと無線品質が、前記Ｍｅａｓｕｒｅｍｅｎｔ  ｒｅｐｏｒｔに含まれてもよい。
【０１３０】
また、キャリアアグリゲーションが行われているキャリア（コンポーネントキャリア）に関しては、無線基地局ｅＮＢからの指示に関係なく、そのキャリアにおける、無線品質が良いセルのＩＤとその無線品質が、前記Ｍｅａｓｕｒｅｍｅｎｔ  ｒｅｐｏｒｔに含まれてもよい。
【０１３１】
無線基地局ｅＮＢが、移動局ＵＥに対して、その他のキャリアを指定することにより、無線基地局ｅＮＢは、無線基地局ｅＮＢが必要とするキャリアに関する無線品質の測定結果を効率的に取得することが可能となる。
【０１３２】
すなわち、多くのキャリアに関する無線品質の測定結果ではなく、無線基地局ｅＮＢが必要とするキャリアに関する無線品質の測定結果が、移動局ＵＥより通知されるため、制御信号（Ｍｅａｓｕｒｅｍｅｎｔ  ｒｅｐｏｒｔ）のオーバヘッドが削減される。
【０１３３】
なお、前記その他のキャリアは、キャリアアグリゲーションが行われているキャリアであってもよいし、キャリアアグリゲーションが行われていないキャリアであってもよいし、キャリアアグリゲーションが行われているキャリアとキャリアアグリゲーションが行われていないキャリアの両方であってもよい。
【０１３４】
例えば、キャリアアグリゲーションが行われているキャリアとは、上述した例においては、第１キャリアと第２キャリアであり、キャリアアグリゲーションが行われていないキャリアとは、上述した例においては、第３キャリアである。
【０１３５】
また、前記その他のキャリアは、無線基地局ｅＮＢが、移動局ＵＥに対して、Ｍｅａｓｕｒｅｍｅｎｔを指示しているキャリアに含まれるキャリアであってもよい。
【０１３６】
なお、かかるＭｅａｓｕｒｅｍｅｎｔ  ｒｅｐｏｒｔは、上りリンクのデータ信号として、移動局ＵＥから無線基地局ｅＮＢに送信される。前記上りリンクのデータ信号とは、より具体的には、論理チャネルの観点では、ＤＣＣＨであってもよい。
【０１３７】
また、かかるＭｅａｓｕｒｅｍｅｎｔ  ｒｅｐｏｒｔは、第１キャリアを用いて、移動局ＵＥから無線基地局ｅＮＢに送信されてもよいし、或いは、第２キャリアを用いて、移動局ＵＥから無線基地局ｅＮＢに送信されてもよい。或いは、前記Ｍｅａｓｕｒｅｍｅｎｔ  ｒｅｐｏｒｔは、第１キャリアと第２キャリアの両方を用いて、移動局ＵＥから無線基地局ｅＮＢに送信されてもよい。
【０１３８】
上述したように、Ｍｅａｓｕｒｅｍｅｎｔ  ｒｅｐｏｒｔ送信部１０６が、Ｍｅａｓｕｒｅｍｅｎｔ  ｒｅｐｏｒｔを送信する場合に、判定部１０４がＭｅａｓｕｒｅｍｅｎｔ  ｒｅｐｏｒｔを無線基地局ｅＮＢに通知すると判定したキャリア以外のキャリアに関する無線品質の測定結果を、かかるＭｅａｓｕｒｅｍｅｎｔ  ｒｅｐｏｒｔに含めることにより、無線基地局ｅＮＢは、複数のキャリアの状況を考慮して、より適切なタイミングで、移動局ＵＥに対してハンドオーバを指示することが可能となり、スループットの増大及びＭｏｂｉｌｉｔｙ特性の安定化を実現することが可能となり、結果として、システムの効率化、及び、接続性の安定性を実現することができる。
【０１３９】
なお、Ｍｅａｓｕｒｅｍｅｎｔ  ｒｅｐｏｒｔ送信部１０６は、上述したように、判定部１０４がＭｅａｓｕｒｅｍｅｎｔ  ｒｅｐｏｒｔを無線基地局ｅＮＢに通知すると判定したキャリア以外のキャリア（その他のキャリア）に関する無線品質の測定結果を、Ｍｅａｓｕｒｅｍｅｎｔ  ｒｅｐｏｒｔに含めて、Ｍｅａｓｕｒｅｍｅｎｔ  ｒｅｐｏｒｔを送信する場合に、前記その他のキャリアに関するＴｉｍｅ-ｔｏ-ｔｒｉｇｇｅｒをリセットしてもよい。
【０１４０】
すなわち、Ｍｅａｓｕｒｅｍｅｎｔ  ｒｅｐｏｒｔ送信部１０６は、Ｔｉｍｅ-ｔｏ-ｔｒｉｇｇｅｒが起動されている場合に、Ｔｉｍｅ-ｔｏ-ｔｒｉｇｇｅｒの値を初期値に戻してもよい。
【０１４１】
すなわち、Ｍｅａｓｕｒｅｍｅｎｔ  ｒｅｐｏｒｔ送信部１０６は、Ｔｉｍｅ-ｔｏ-ｔｒｉｇｇｅｒが起動されている場合に、Ｔｉｍｅ-ｔｏ-ｔｒｉｇｇｅｒの値を０に戻してもよい。
【０１４２】
また、Ｍｅａｓｕｒｅｍｅｎｔ  ｒｅｐｏｒｔ送信部１０６は、上述したように、判定部１０４がＭｅａｓｕｒｅｍｅｎｔ  ｒｅｐｏｒｔを無線基地局ｅＮＢに通知すると判定したキャリア以外のキャリア（その他のキャリア）に関する無線品質の測定結果を、Ｍｅａｓｕｒｅｍｅｎｔ  ｒｅｐｏｒｔに含めて、Ｍｅａｓｕｒｅｍｅｎｔ  ｒｅｐｏｒｔを送信する場合に、かかるＭｅａｓｕｒｅｍｅｎｔ  ｒｅｐｏｒｔを送信するタイミングを起点として、その他のキャリアに関する周期的なＭｅａｓｕｒｅｍｅｎｔ  ｒｅｐｏｒｔの送信を行ってもよい。
【０１４３】
上述した、Ｔｉｍｅ-ｔｏ-ｔｒｉｇｇｅｒのリセットや、周期的なＭｅａｓｕｒｅｍｅｎｔ  ｒｅｐｏｒｔの送信を行うことにより、その他のキャリアに関するＭｅａｓｕｒｅｍｅｎｔ  ｒｅｐｏｒｔの送信が低減されるため、結果として、Ｍｅａｓｕｒｅｍｅｎｔ  ｒｅｐｏｒｔによるオーバヘッドを低減することが可能となる。
【０１４４】
Ｍｅａｓｕｒｅｍｅｎｔ制御信号受信部１０８は、無線基地局ｅＮＢより、Ｍｅａｓｕｒｅｍｅｎｔに関連する制御信号を受信し、その制御信号に含まれる情報を、第１キャリア測定部１０２Ａ、第２キャリア測定部１０２Ｂ、第３キャリア測定部１０２Ｃ、判定部１０４、Ｍｅａｓｕｒｅｍｅｎｔ  ｒｅｐｏｒｔ送信部１０６に通知する。
【０１４５】
例えば、Ｍｅａｓｕｒｅｍｅｎｔ制御信号受信部１０８は、上述のその他のキャリアにおける無線品質が良いセルの数を、無線基地局ｅＮＢより受信し、Ｍｅａｓｕｒｅｍｅｎｔ  ｒｅｐｏｒｔ送信部１０６に通知してもよい。
【０１４６】
また、例えば、Ｍｅａｓｕｒｅｍｅｎｔ制御信号受信部１０８は、上述のその他のキャリアの識別情報を、無線基地局ｅＮＢより受信し、Ｍｅａｓｕｒｅｍｅｎｔ  ｒｅｐｏｒｔ送信部１０６に通知してもよい。
【０１４７】
図１０に示すように、無線基地局ｅＮＢは、Ｍｅａｓｕｒｅｍｅｎｔ制御信号送信部２０２と、Ｍｅａｓｕｒｅｍｅｎｔ  ｒｅｐｏｒｔ受信部２０４と、ハンドオーバ制御部２０６とを具備している。Ｍｅａｓｕｒｅｍｅｎｔ制御信号送信部２０２と、Ｍｅａｓｕｒｅｍｅｎｔ  ｒｅｐｏｒｔ受信部２０４と、ハンドオーバ制御部２０６とは、互いに接続されている。
【０１４８】
Ｍｅａｓｕｒｅｍｅｎｔ制御信号送信部２０２は、移動局ＵＥに対して、Ｍｅａｓｕｒｅｍｅｎｔに関連する制御信号を送信する。
【０１４９】
かかる制御信号には、Ｍｅａｓｕｒｅｍｅｎｔが行われるキャリアの識別情報（ＩＤ）や、測定帯域幅、イベントの識別情報、周期的なＭｅａｓｕｒｅｍｅｎｔ  ｒｅｐｏｒｔの送信の有無、イベントの判定に用いられるヒステリシスやＴＴＴ等が含まれてもよい。かかる制御信号により指定されるキャリアに関して、移動局ＵＥは、Ｍｅａｓｕｒｅｍｅｎｔの処理を行う。
【０１５０】
また、Ｍｅａｓｕｒｅｍｅｎｔ制御信号送信部２０２は、移動局ＵＥに対して、前記制御信号に含まれる情報の一部として、上述のその他のキャリアにおける無線品質が良いセルの数を、移動局ＵＥに対して送信してもよい。
【０１５１】
また、Ｍｅａｓｕｒｅｍｅｎｔ制御信号送信部２０２は、上述のその他のキャリアを、移動局ＵＥに対して指定してもよい。すなわち、Ｍｅａｓｕｒｅｍｅｎｔ制御信号送信部２０２は、上述のその他のキャリアの識別情報を、移動局ＵＥに対して送信してもよい。
【０１５２】
Ｍｅａｓｕｒｅｍｅｎｔ  ｒｅｐｏｒｔ受信部２０４は、移動局ＵＥより送信されたＭｅａｓｕｒｅｍｅｎｔ  ｒｅｐｏｒｔを受信する。
【０１５３】
ここで、かかるＭｅａｓｕｒｅｍｅｎｔ  ｒｅｐｏｒｔには、上述したように、移動局ＵＥにおいてＭｅａｓｕｒｅｍｅｎｔ  ｒｅｐｏｒｔを無線基地局ｅＮＢに通知すると判定したキャリア以外のキャリア（その他のキャリア）に関する無線品質の測定結果が含まれていてもよい。
【０１５４】
なお、Ｍｅａｓｕｒｅｍｅｎｔ  ｒｅｐｏｒｔに含まれる、その他のキャリアに関する無線品質の測定結果に関する説明は、移動局ＵＥに関する説明と同一であるため、省略する。
【０１５５】
Ｍｅａｓｕｒｅｍｅｎｔ  ｒｅｏｒｔ受信部２０４は、移動局ＵＥより通知されたＭｅａｓｕｒｅｍｅｎｔ  ｒｅｐｏｒｔを、ハンドオーバ制御部２０６に通知する。
【０１５６】
ハンドオーバ制御部２０６は、Ｍｅａｓｕｒｅｍｅｎｔ  ｒｅｏｒｔ受信部２０４より、移動局ＵＥより通知されたＭｅａｓｕｒｅｍｅｎｔ  ｒｅｐｏｒｔを受け取る。かかるＭｅａｓｕｒｅｍｅｎｔ  ｒｅｐｏｒｔには、上述したように、移動局ＵＥにおいてＭｅａｓｕｒｅｍｅｎｔ  ｒｅｐｏｒｔを無線基地局ｅＮＢに通知すると判定したキャリア以外のキャリア（その他のキャリア）に関する無線品質の測定結果が含まれていてもよい。
【０１５７】
ハンドオーバ制御部２０６は、かかるＭｅａｓｕｒｅｍｅｎｔ  ｒｅｐｏｒｔに基づいて、移動局ＵＥに対してハンドオーバを指示するべきか否かを判定し、前記移動局ＵＥに対してハンドオーバを指示するべきだと判定した場合に、移動局ＵＥに対して、ハンドオーバを指示する制御信号（ハンドオーバコマンド）を送信する。
【０１５８】
或いは、ハンドオーバ制御部２０６は、かかるＭｅａｓｕｒｅｍｅｎｔ  ｒｅｐｏｒｔに基づいて、移動局ＵＥとの通信状態を変更するか否かを判定し、かかる移動局ＵＥとの通信状態を変更するべきであると判定した場合に、かかる移動局ＵＥに対して、かかる移動局ＵＥとの通信状態を変更することを指示する制御信号（Ｒｅｃｏｎｆｉｇｕｒａｔｉｏｎ  ｍｅｓｓａｇｅ）を送信する。
【０１５９】
ここで、「移動局ＵＥとの通信状態を変更する」とは、例えば、以下の制御の内の少なくとも１つであってもよい。
【０１６０】
（１）  移動局ＵＥとキャリアアグリゲーションを行っているセルとの通信状態を削除する。
【０１６１】
（２）  移動局ＵＥとキャリアアグリゲーションを行っているセルの内、セカンダリセルとの通信状態を削除する。
【０１６２】
（３）  移動局ＵＥとキャリアアグリゲーションを行っているセルの内、プライマリセルとの通信状態を削除する。
【０１６３】
（４）  移動局ＵＥとキャリアアグリゲーションを行っているセルの内、プライマリセルとセカンダリセルとを入れ替える。
【０１６４】
（５）  移動局ＵＥとキャリアアグリゲーションを行っていないセルを、セカンダリセルとして追加する（すなわち、移動局ＵＥとキャリアアグリゲーションを行っていないセルとの通信状態を確立する）。
【０１６５】
（６）  移動局ＵＥとキャリアアグリゲーションを行っていないセルを、プライマリセルとして追加する（すなわち、移動局ＵＥとキャリアアグリゲーションを行っていないセルとの通信状態を確立する）。
【０１６６】
（７）  移動局ＵＥとキャリアアグリゲーションを行っていないセルを、プライマリセル又はセカンダリセルとして追加し、移動局ＵＥとキャリアアグリゲーションを行っているプライマリセル又はセカンダリセルとの通信状態を削除する（すなわち、ハンドオーバを行う）。
【０１６７】
ここで、例えば、ハンドオーバ制御部２０６は、Ｍｅａｓｕｒｅｍｅｎｔ  ｒｅｐｏｒｔに含まれる、移動局ＵＥにおいてＭｅａｓｕｒｅｍｅｎｔ  ｒｅｐｏｒｔを無線基地局ｅＮＢに通知すると判定したキャリアに関する情報に加えて、移動局ＵＥにおいてＭｅａｓｕｒｅｍｅｎｔ  ｒｅｐｏｒｔを無線基地局ｅＮＢに通知すると判定したキャリア以外のキャリア（その他のキャリア）に関する情報に基づいて、ハンドオーバを行うか否かを判定してもよい。
【０１６８】
或いは、例えば、ハンドオーバ制御部２０６は、Ｍｅａｓｕｒｅｍｅｎｔ  ｒｅｐｏｒｔに含まれる、移動局ＵＥにおいてＭｅａｓｕｒｅｍｅｎｔ  ｒｅｐｏｒｔを無線基地局ｅＮＢに通知すると判定したキャリアに関する情報に加えて、移動局ＵＥにおいてＭｅａｓｕｒｅｍｅｎｔ  ｒｅｐｏｒｔを無線基地局ｅＮＢに通知すると判定したキャリア以外のキャリア（その他のキャリア）に関する情報に基づいて、前記移動局ＵＥとの通信状態を変更するべきか否かを判定してもよい。
【０１６９】
例えば、ハンドオーバ制御部２０６は、かかるＭｅａｓｕｒｅｍｅｎｔ  ｒｅｐｏｒｔにより指定されている、ハンドオーバ先の候補となるセルが、現在のサービングセルと同じ基地局に属するセルである場合には、かかるＭｅａｓｕｒｅｍｅｎｔ  ｒｅｐｏｒｔに基づいて、移動局ＵＥに対して、ハンドオーバを指示する。
【０１７０】
この場合、ハンドオーバ制御部２０６は、キャリアアグリゲーションを行っている、その他のキャリアにおける通信中のセル、すなわち、サービングセルとの通信状態を維持してもよい。
【０１７１】
すなわち、ハンドオーバ制御部２０６は、かかるＭｅａｓｕｒｅｍｅｎｔ  ｒｅｐｏｒｔにより指定されている、ハンドオーバ先の候補となるセルに対してハンドオーバを行うことを、移動局ＵＥに対して指示する。
【０１７２】
また、例えば、ハンドオーバ制御部２０６は、かかるＭｅａｓｕｒｅｍｅｎｔ  ｒｅｐｏｒｔにより指定されている、ハンドオーバ先の候補となるセルが、現在のサービングセルと異なる基地局に属するセルである場合には、移動局ＵＥにおいてかかるＭｅａｓｕｒｅｍｅｎｔ  ｒｅｐｏｒｔを無線基地局ｅＮＢに通知すると判定したキャリアに関する無線品質の測定結果と、その他のキャリアに関する無線品質の測定結果とに基づいて、移動局ＵＥに対して、ハンドオーバを指示するか否かを判定する。
【０１７３】
そして、ハンドオーバ制御部２０６は、上述の判定により、ハンドオーバを指示すると判定した場合には、かかるハンドオーバを行うことを、移動局ＵＥに対して指示する。
【０１７４】
或いは、ハンドオーバ制御部２０６は、かかるＭｅａｓｕｒｅｍｅｎｔ  ｒｅｐｏｒｔにより指定されている、ハンドオーバ先の候補となるセルが、現在のサービングセルと異なる基地局に属するセルである場合には、移動局ＵＥにおいてかかるＭｅａｓｕｒｅｍｅｎｔ  ｒｅｐｏｒｔを無線基地局ｅＮＢに通知すると判定したキャリアに関する無線品質の測定結果と、その他のキャリアに関する無線品質の測定結果とに基づいて、移動局ＵＥとの通信状態を変更するか否かを判定する。
【０１７５】
そして、ハンドオーバ制御部２０６は、上述の判定により、移動局ＵＥとの通信状態を変更すると判定した場合には、かかる通信状態の変更を行うことを、移動局ＵＥに対して指示する。
【０１７６】
以下に、ハンドオーバ制御部２０６の具体的な動作を示す。
【０１７７】
例えば、ハンドオーバ制御部２０６は、かかるＭｅａｓｕｒｅｍｅｎｔ  ｒｅｐｏｒｔにより指定されている、ハンドオーバ先の候補となるセルの無線品質と、その他のキャリアにおける、キャリアアグリゲーションにより通信中のセルの無線品質とに基づいて、ハンドオーバを行うか否か、あるいは、移動局ＵＥとの通信状態を変更するか否かを判定してもよい。
【０１７８】
ここで、前記ハンドオーバ先の候補となるセルとは、Ｍｅａｓｕｒｅｍｅｎｔ  ｒｅｐｏｒｔにより指定されている、最も無線品質の良いセルであってもよい。ここで、前記Ｍｅａｓｕｒｅｍｅｎｔ  ｒｅｐｏｒｔが、同周波のＭｅａｓｕｒｅｍｅｎｔ  ｒｅｐｏｒｔである場合、前記ハンドオーバ先の候補となるセルは、Ｍｅａｓｕｒｅｍｅｎｔ  ｒｅｐｏｒｔが通知されたキャリアにおける、最も無線品質の良いセルであってもよい。また、前記Ｍｅａｓｕｒｅｍｅｎｔ  ｒｅｐｏｒｔが、異周波のＭｅａｓｕｒｅｍｅｎｔ  ｒｅｐｏｒｔである場合、前記ハンドオーバ先の候補となるセルは、Ｍｅａｓｕｒｅｍｅｎｔ  ｒｅｐｏｒｔが通知されたキャリアとは異なるキャリアにおける、最も無線品質の良いセルであってもよい。
【０１７９】
なお、前記Ｍｅａｓｕｒｅｍｅｎｔ  ｒｅｐｏｒｔとは、イベントＡ１であってもよいし、イベントＡ３であってもよいし、イベントＡ５であってもよい。あるいは、前記Ｍｅａｓｕｒｅｍｅｎｔ  ｒｅｐｏｒｔは、前記イベントＡ１、Ａ３、Ａ５以外のイベント、例えば、イベントＡ２やＡ４、Ａ６等であってもよい。
【０１８０】
すなわち、ハンドオーバ制御部２０６は、かかるＭｅａｓｕｒｅｍｅｎｔ  ｒｅｐｏｒｔにより指定されている、ハンドオーバ先の候補となるセルの無線品質が、その他のキャリアにおける、キャリアアグリゲーションにより通信中のセルの無線品質よりも良い場合に、ハンドオーバを行うと判定し、それ以外の場合に、ハンドオーバを行わないと判定してもよい。
【０１８１】
或いは、ハンドオーバ制御部２０６は、かかるＭｅａｓｕｒｅｍｅｎｔ  ｒｅｐｏｒｔにより指定されている、ハンドオーバ先の候補となるセルの無線品質が、所定の第１閾値よりも大きく、かつ、その他のキャリアにおける、キャリアアグリゲーションにより通信中のセルの無線品質が所定の第２閾値よりも小さい場合に、ハンドオーバを行うと判定し、それ以外の場合に、ハンドオーバを行わないと判定してもよい。
【０１８２】
また、例えば、ハンドオーバ制御部２０６は、移動局ＵＥにおいてかかるＭｅａｓｕｒｅｍｅｎｔ  ｒｅｐｏｒｔを無線基地局ｅＮＢに通知すると判定したキャリアにおける、無線品質の良いセルの無線品質と、その他のキャリアにおける、無線品質の良いセルの無線品質とに基づいて、ハンドオーバを行うか否かを判定してもよい。
【０１８３】
すなわち、ハンドオーバ制御部２０６は、かかるＭｅａｓｕｒｅｍｅｎｔ  ｒｅｐｏｒｔにより指定されている、無線品質の良いセルの無線品質が、その他のキャリアにおける、キャリアアグリゲーションにより通信中のセルの無線品質よりも良い場合に、ハンドオーバを行うと判定し、それ以外の場合に、ハンドオーバを行わないと判定してもよい。
【０１８４】
或いは、ハンドオーバ制御部２０６は、かかるＭｅａｓｕｒｅｍｅｎｔ  ｒｅｐｏｒｔにより指定されている、無線品質の良いセルの無線品質が、所定の第１閾値よりも大きく、かつ、その他のキャリアにおける、キャリアアグリゲーションにより通信中のセルの無線品質が所定の第２閾値よりも小さい場合に、ハンドオーバを行うと判定し、それ以外の場合に、ハンドオーバを行わないと判定してもよい。
【０１８５】
また、例えば、ハンドオーバ制御部２０６は、移動局ＵＥにおいてかかるＭｅａｓｕｒｅｍｅｎｔ  ｒｅｐｏｒｔを無線基地局ｅＮＢに通知すると判定したキャリアにおける、無線品質の良いセルの無線品質と、その他のキャリアにおける、無線品質の良いセルの無線品質とに基づいて、その他のキャリアを、キャリアアグリゲーションが行われるキャリアから削除するか否かを判定してもよい。
【０１８６】
すなわち、ハンドオーバ制御部２０６は、移動局ＵＥにおいてかかるＭｅａｓｕｒｅｍｅｎｔ  ｒｅｐｏｒｔを無線基地局ｅＮＢに通知すると判定したキャリアにおける、無線品質の良いセルの無線品質が、その他のキャリアにおける、無線品質の良いセルの無線品質よりも良い場合に、その他のキャリアを、キャリアアグリゲーションが行われるキャリアから削除するか否かを判定してもよい。
【０１８７】
或いは、ハンドオーバ制御部２０６は、移動局ＵＥにおいてかかるＭｅａｓｕｒｅｍｅｎｔ  ｒｅｐｏｒｔを無線基地局ｅＮＢに通知すると判定したキャリアにおける、無線品質の良いセルの無線品質が所定の第１閾値よりも大きく、その他のキャリアにおける、無線品質の良いセルの無線品質が所定の第２閾値よりも小さい場合に、その他のキャリアを、キャリアアグリゲーションが行われるキャリアから削除するか否かを判定してもよい。
【０１８８】
ここで、「その他のキャリアを、キャリアアグリゲーションが行われるキャリアから削除する」とは、前記その他のキャリアにおける、キャリアアグリゲーションにより通信中のセルとの通信状態を削除することを意味してもよい。
【０１８９】
また、例えば、ハンドオーバ制御部２０６は、移動局ＵＥにおいてかかるＭｅａｓｕｒｅｍｅｎｔ  ｒｅｐｏｒｔを無線基地局ｅＮＢに通知すると判定したキャリアにおける、無線品質の良いセルの無線品質と、その他のキャリアにおける、無線品質の良いセルの無線品質とに基づいて、移動局ＵＥにおいてかかるＭｅａｓｕｒｅｍｅｎｔ  ｒｅｐｏｒｔを無線基地局ｅＮＢに通知すると判定したキャリアを、キャリアアグリゲーションが行われるキャリアから削除するか否かを判定してもよい。
【０１９０】
すなわち、ハンドオーバ制御部２０６は、移動局ＵＥにおいてかかるＭｅａｓｕｒｅｍｅｎｔ  ｒｅｐｏｒｔを無線基地局ｅＮＢに通知すると判定したキャリアにおける、無線品質の良いセルの無線品質が、その他のキャリアにおける、無線品質の良いセルの無線品質よりも良くない場合に、移動局ＵＥにおいてかかるＭｅａｓｕｒｅｍｅｎｔ  ｒｅｐｏｒｔを無線基地局ｅＮＢに通知すると判定したキャリアを、キャリアアグリゲーションが行われるキャリアから削除するか否かを判定してもよい。
【０１９１】
或いは、ハンドオーバ制御部２０６は、移動局ＵＥにおいてかかるＭｅａｓｕｒｅｍｅｎｔ  ｒｅｐｏｒｔを無線基地局ｅＮＢに通知すると判定したキャリアにおける、無線品質の良いセルの無線品質が、所定の第１閾値よりも小さく、その他のキャリアにおける、無線品質の良いセルの無線品質が、所定の第２閾値よりも大きい場合に、移動局ＵＥにおいてかかるＭｅａｓｕｒｅｍｅｎｔ  ｒｅｐｏｒｔを無線基地局ｅＮＢに通知すると判定したキャリアを、キャリアアグリゲーションが行われるキャリアから削除するか否かを判定してもよい。
【０１９２】
ここで、「移動局ＵＥにおいてかかるＭｅａｓｕｒｅｍｅｎｔ  ｒｅｐｏｒｔを無線基地局ｅＮＢに通知すると判定したキャリアを、キャリアアグリゲーションが行われるキャリアから削除する」とは、前記キャリアにおける、キャリアアグリゲーションにより通信中のセルとの通信状態を削除することを意味してもよい。
【０１９３】
また、例えば、ハンドオーバ制御部２０６は、移動局ＵＥにおいてかかるＭｅａｓｕｒｅｍｅｎｔ  ｒｅｐｏｒｔを無線基地局ｅＮＢに通知すると判定したキャリアにおける、無線品質の良いセルの無線品質と、その他のキャリアにおける、無線品質の良いセルの無線品質の少なくとも１つに基づいて、その他のキャリアを、キャリアアグリゲーションが行われるキャリアに追加するか否かを判定してもよい。
【０１９４】
或いは、例えば、ハンドオーバ制御部２０６は、移動局ＵＥにおいてかかるＭｅａｓｕｒｅｍｅｎｔ  ｒｅｐｏｒｔを無線基地局ｅＮＢに通知すると判定したキャリアにおける、ハンドオーバ先の候補となるセルの無線品質と、その他のキャリアにおける、無線品質の良いセルの情報の少なくとも１つに基づいて、その他のキャリアを、キャリアアグリゲーションが行われるキャリアに追加するか否かを判定してもよい。
【０１９５】
より具体的には、ハンドオーバ制御部２０６は、その他のキャリアにおける、最も無線品質の良いセルが、前記ハンドオーバ先の候補となるセルと同じ無線基地局に属する場合に、その他のキャリアにおける前記最も無線品質の良いセルを、キャリアアグリゲーションが行われるセルとして設定すると判定してもよい。ここで、あるセルを、キャリアアグリゲーションが行われるセルとして設定する、という動作は、例えば、前記あるセルとの通信状態を確立する、という動作であってもよい。
【０１９６】
この場合に、前記移動局との間で、複数のセルとの通信状態が確立される場合には、キャリアアグリゲーションが行われている状態となる。前記通信状態は、単純に、通信、あるいは、接続(接続状態)、すなわち、Ｃｏｎｎｅｃｔｉｏｎと呼ばれてもよい。
【０１９７】
さらに、具体的に、ハンドオーバ制御部２０６における通信制御方法を以下に説明する。
【０１９８】
例えば、ハンドオーバ制御部２０６は、図１５に示すような通信制御方法を行ってもよい。
【０１９９】
以下の説明において、プライマリコンポーネントキャリアは、「ＰＣＣ」と記載し、プライマリセルは、「Ｐｃｅｌｌ」と記載する。また、セカンダリコンポーネントキャリアは、「ＳＣＣ」と記載し、セカンダリセルは、「Ｓｃｅｌｌ」と記載する。
【０２００】
また、以下の説明において、無線基地局ｅＮＢと移動局ＵＥが、キャリアアグリゲーションを用いて通信を行う場合には、１つのＰｃｅｌｌと１つ以上のＳｃｅｌｌとの通信状態が確立されていると想定する。
【０２０１】
ステップＳ３００２の時点で、移動局ＵＥと無線基地局ｅＮＢは、キャリアアグリゲーションにより通信を行っている状態である。
【０２０２】
ステップＳ３００２において、無線基地局ｅＮＢは、移動局ＵＥより、ＰＣＣに関するＭｅａｓｕｒｅｍｅｎｔ  ｒｅｐｏｒｔを受信する。
【０２０３】
ここで、前記Ｍｅａｓｕｒｅｍｅｎｔ  ｒｅｐｏｒｔとは、例えば、ＰＣＣにおける同周波のイベントＡ３であってもよい。或いは、前記Ｍｅａｓｕｒｅｍｅｎｔ  ｒｅｐｏｒｔとは、例えば、Ｐｃｅｌｌと、Ｐｃｅｌｌとは異なる周波数のイベントＡ３であってもよい。
【０２０４】
無線基地局ｅＮＢが、イベントＡ３のＭｅａｓｕｒｅｍｅｎｔ  ｒｅｐｏｒｔを受信する場合、前記Ｍｅａｓｕｒｅｍｅｎｔ  ｒｅｐｏｒｔにより通知される隣接セルは、サービングセルであるＰｃｅｌｌよりも無線品質が良いセルであり、言い換えれば、最も無線品質の良いセルである。
【０２０５】
ステップＳ３００４において、前記Ｍｅａｓｕｒｅｍｅｎｔ  ｒｅｐｏｒｔにより通知された隣接セルが、Ｐｃｅｌｌと同じ無線基地局に属するか否かが判定される。
【０２０６】
前記Ｍｅａｓｕｒｅｍｅｎｔ  ｒｅｐｏｒｔにより通知された隣接セルが、Ｐｃｅｌｌと同じ無線基地局に属する場合（ステップＳ３００４：ＹＥＳ）、前記隣接セルにハンドオーバを行う（ステップＳ３００６）。すなわち、ハンドオーバ制御部２０６は、前記ＵＥに対して、前記隣接セルにハンドオーバを行うことを指示し、また、前記ハンドオーバを行うための処理を行う。
【０２０７】
ここで、前記隣接セルにハンドオーバを行うとは、すなわち、前記隣接セルをＰｃｅｌｌとして設定するということを意味する。或いは、前記隣接セルにハンドオーバを行うとは、前記隣接セルに関して、Ｐｃｅｌｌとしての通信状態を確立するということを意味する。
【０２０８】
前記Ｍｅａｓｕｒｅｍｅｎｔ  ｒｅｐｏｒｔにより通知された隣接セルが、Ｐｃｅｌｌと同じ無線基地局に属さない場合（ステップＳ３００４：ＮＯ）、ステップＳ３００８において、Ｓｃｅｌｌと同じ周波数において最も無線品質が良いセルが、前記Ｍｅａｓｕｒｅｍｅｎｔ  ｒｅｐｏｒｔにより通知された隣接セルと同じ無線基地局に属するかを判定する。
【０２０９】
前記Ｓｃｅｌｌと同じ周波数において最も無線品質が良いセルが、前記Ｍｅａｓｕｒｅｍｅｎｔ  ｒｅｐｏｒｔにより通知された隣接セルと同じ無線基地局に属する場合（ステップＳ３００８：ＹＥＳ）、ステップＳ３０１０において、前記隣接セルにハンドオーバを行い、かつ、前記Ｓｃｅｌｌと同じ周波数において最も無線品質が良いセルとの通信状態を確立する。
【０２１０】
ここで、前記Ｍｅａｓｕｒｅｍｅｎｔ  ｒｅｐｏｒｔは、ＰＣＣに関するＭｅａｓｕｒｅｍｅｎｔ  ｒｅｐｏｒｔであるため、前記Ｓｃｅｌｌと同じ周波数は、Ｍｅａｓｕｒｅｍｅｎｔ  ｒｅｐｏｒｔを受信したキャリア以外のキャリアである。
【０２１１】
一方、前記Ｓｃｅｌｌと同じ周波数において最も無線品質が良いセルが、前記Ｍｅａｓｕｒｅｍｅｎｔ  ｒｅｐｏｒｔにより通知された隣接セルと同じ無線基地局に属さない場合（ステップＳ３００８：ＹＥＳ）、ステップＳ３０１２において、前記隣接セルにハンドオーバを行い、かつ、前記Ｓｃｅｌｌとの通信状態を削除する。
【０２１２】
例えば、ハンドオーバ制御部２０６は、図１６に示すような通信制御方法を行ってもよい。
【０２１３】
以下の説明において、プライマリコンポーネントキャリアは、「ＰＣＣ」と記載し、プライマリセルは、「Ｐｃｅｌｌ」と記載する。また、セカンダリコンポーネントキャリアは、「ＳＣＣ」と記載し、セカンダリセルは、「Ｓｃｅｌｌ」と記載する。
【０２１４】
また、以下の説明において、無線基地局ｅＮＢと移動局ＵＥが、キャリアアグリゲーションを用いて通信を行う場合には、１つのＰｃｅｌｌと１つ以上のＳｃｅｌｌの通信状態が確立されていると想定する。
【０２１５】
ステップＳ３１０２の時点で、移動局ＵＥと無線基地局ｅＮＢは、キャリアアグリゲーションにより通信を行っている状態である。
【０２１６】
ステップＳ３１０２において、無線基地局ｅＮＢは、移動局ＵＥより、ＳＣＣに関するＭｅａｓｕｒｅｍｅｎｔ  ｒｅｐｏｒｔを受信する。
【０２１７】
ここで、前記Ｍｅａｓｕｒｅｍｅｎｔ  ｒｅｐｏｒｔとは、例えば、ＳＣＣにおける同周波のイベントＡ６であってもよい。或いは、前記Ｍｅａｓｕｒｅｍｅｎｔ  ｒｅｐｏｒｔとは、例えば、Ｓｃｅｌｌと、Ｓｃｅｌｌとは異なる周波数のイベントＡ３であってもよい。
【０２１８】
無線基地局ｅＮＢが、イベントＡ６のＭｅａｓｕｒｅｍｅｎｔ  ｒｅｐｏｒｔを受信する場合、前記Ｍｅａｓｕｒｅｍｅｎｔ  ｒｅｐｏｒｔにより通知される隣接セルは、Ｓｃｅｌｌが属する周波数において、サービングセルであるＳｃｅｌｌよりも無線品質が良いセルであり、言い換えれば、最も無線品質の良いセルである。
【０２１９】
無線基地局ｅＮＢが、イベントＡ３のＭｅａｓｕｒｅｍｅｎｔ  ｒｅｐｏｒｔを受信する場合、前記Ｍｅａｓｕｒｅｍｅｎｔ  ｒｅｐｏｒｔにより通知される隣接セルは、サービングセルであるＳｃｅｌｌよりも無線品質が良いセルであり、言い換えれば、そのキャリアにおいて最も無線品質の良いセルである。
【０２２０】
ステップＳ３１０４において、前記Ｍｅａｓｕｒｅｍｅｎｔ  ｒｅｐｏｒｔにより通知された隣接セルが、Ｐｃｅｌｌと同じ無線基地局に属するか否かが判定される。
【０２２１】
前記Ｍｅａｓｕｒｅｍｅｎｔ  ｒｅｐｏｒｔにより通知された隣接セルが、Ｐｃｅｌｌと同じ無線基地局に属する場合（ステップＳ３１０４：ＹＥＳ）、前記隣接セルにハンドオーバを行う（ステップＳ３１０６）。
【０２２２】
すなわち、ハンドオーバ制御部２０６は、前記ＵＥに対して、Ｓｃｅｌｌが属する周波数において、前記隣接セルにハンドオーバを行うことを指示し、また、前記ハンドオーバを行うための処理を行う。
【０２２３】
ここで、前記隣接セルにハンドオーバを行うとは、すなわち、前記隣接セルをＳｃｅｌｌとして設定するということを意味する。
【０２２４】
また、前記ハンドオーバは、前記Ｓｃｅｌｌが属する周波数における同周波のハンドオーバである。或いは、前記隣接セルにハンドオーバを行うとは、前記隣接セルに関して、Ｓｃｅｌｌとしての通信状態を確立するということを意味する。
【０２２５】
前記Ｍｅａｓｕｒｅｍｅｎｔ  ｒｅｐｏｒｔにより通知された隣接セルが、Ｐｃｅｌｌと同じ無線基地局に属さない場合（ステップＳ３１０４：ＮＯ）、ステップＳ３１０８において、前記Ｓｃｅｌｌとの通信状態を削除する。
【０２２６】
例えば、ハンドオーバ制御部２０６は、図１７に示すような通信制御方法を行ってもよい。
【０２２７】
以下の説明において、プライマリコンポーネントキャリアは、ＰＣＣと記載し、プライマリセルは、「Ｐｃｅｌｌ」と記載する。また、セカンダリコンポーネントキャリアは、「ＳＣＣ」と記載し、セカンダリセルは、「Ｓｃｅｌｌ」と記載する。
【０２２８】
また、以下の説明において、無線基地局ｅＮＢと移動局ＵＥが、キャリアアグリゲーションを用いて通信を行う場合には、１つのＰｃｅｌｌと１つ以上のＳｃｅｌｌの通信状態が確立されていると想定する。
【０２２９】
ステップＳ３２０２の時点で、移動局ＵＥと無線基地局ｅＮＢは、キャリアアグリゲーションにより通信を行っている状態である。
【０２３０】
ステップＳ３２０２において、無線基地局ｅＮＢは、移動局ＵＥより、Ｍｅａｓｕｒｅｍｅｎｔ  ｒｅｐｏｒｔを受信する。
【０２３１】
ここで、前記Ｍｅａｓｕｒｅｍｅｎｔ  ｒｅｐｏｒｔとは、例えば、ＰＣＣにおける同周波のイベントＡ３であってもよい。或いは、前記Ｍｅａｓｕｒｅｍｅｎｔ  ｒｅｐｏｒｔとは、例えば、Ｐｃｅｌｌと、Ｐｃｅｌｌとは異なる周波数のイベントＡ３であってもよい。
【０２３２】
無線基地局ｅＮＢが、イベントＡ３のＭｅａｓｕｒｅｍｅｎｔ  ｒｅｐｏｒｔを受信する場合、前記Ｍｅａｓｕｒｅｍｅｎｔ  ｒｅｐｏｒｔにより通知される隣接セルは、サービングセルであるＰｃｅｌｌよりも無線品質が良いセルであり、言い換えれば、最も無線品質の良いセルである。
【０２３３】
ステップＳ３２０４において、無線基地局ｅＮＢは、Ｍｅａｓｕｒｅｍｅｎｔ  ｒｅｐｏｒｔにより通知された、最も無線品質の良いセルにハンドオーバを行う。すなわち、無線基地局ｅＮＢは、前記最も無線品質の良いセルを、Ｐｃｅｌｌとして設定する。
【０２３４】
ここで、前記最も無線品質の良いセルを、Ｐｃｅｌｌとして設定するという処理とは、前記最も無線品質の良いセルに関して、Ｐｃｅｌｌとしての接続状態を確立する、という処理あってもよい。
【０２３５】
ステップＳ３２０６において、キャリアアグリゲーションが行われているキャリアにおいて最も無線品質が良いセルが、前記新しいＰｃｅｌｌと同じ無線基地局に属するか否かを判定する。
【０２３６】
ここで、前記最も無線品質が良いセルとは、本処理が適用される前の状態で、Ｐｃｅｌｌであるセルであってもよいし、Ｓｃｅｌｌであるセルであってもよいし、ＰｃｅｌｌでもＳｃｅｌｌでもないセルであってもよい。ここで、Ｐｃｅｌｌとは、ＰＣＣにおけるサービングセルであり、Ｓｃｅｌｌとは、ＳＣＣにおけるサービングセルである。
【０２３７】
また、上記キャリアアグリゲーションが行われているキャリアは、ステップＳ３２０４においてＰｃｅｌｌに設定されたセルが属するキャリア以外であってもよい。すなわち、上記キャリアアグリゲーションが行われているキャリアは、ステップＳ３２０４においてＰｃｅｌｌに設定されたセルが属するキャリア以外であり、かつ、キャリアアグリゲーションが行われているキャリアである。
【０２３８】
前記キャリアアグリゲーションが行われているキャリアにおいて最も無線品質が良いセルが、前記新しいＰｃｅｌｌと同じ無線基地局に属する場合（ステップＳ３２０６：ＹＥＳ）、前記キャリアアグリゲーションが行われているキャリアで最も無線品質が良いセルとの通信状態を確立する（ステップＳ３２０８）。
【０２３９】
すなわち、前記キャリアアグリゲーションが行われているキャリアで最も無線品質が良いセルを、Ｓｃｅｌｌに設定する。言い換えれば、前記キャリアアグリゲーションが行われているキャリアで最も無線品質が良いセルに関して、Ｓｃｅｌｌとしての接続状態を確立する。
【０２４０】
ここで、ハンドオーバ制御部２０６は、前記キャリアアグリゲーションが行われているキャリアで最も無線品質が良いセルを、Ｓｃｅｌｌに設定する場合に、現在、Ｓｃｅｌｌであるセルとの接続状態を削除し、同時に、ＰｃｅｌｌでもＳｃｅｌｌでもないセルをＳｃｅｌｌに設定してもよい。
【０２４１】
或いは、ハンドオーバ制御部２０６は、前記キャリアアグリゲーションが行われているキャリアで最も無線品質が良いセルを、Ｓｃｅｌｌに設定する場合に、現在、Ｓｃｅｌｌであるセルとの接続状態を削除し、同時に、ステップＳ３２０２の時点でＰｃｅｌｌであったセルをＳｃｅｌｌに設定してもよい。
【０２４２】
或いは、ハンドオーバ制御部２０６は、前記キャリアアグリゲーションが行われているキャリアで最も無線品質が良いセルを、Ｓｃｅｌｌに設定する場合に、新しいＳｃｅｌｌとして、Ｐｃｅｌｌ又はＳｃｅｌｌ又はそれ以外のセルを、Ｓｃｅｌｌに設定してもよい。
【０２４３】
或いは、ハンドオーバ制御部２０６は、前記キャリアアグリゲーションが行われているキャリアで最も無線品質が良いセルを、Ｓｃｅｌｌに設定する場合に、ステップＳ３２０２の時点でＳｃｅｌｌであったセルを、そのまま新しいＳｃｅｌｌとして、Ｓｃｅｌｌに設定してもよい。この場合、ステップＳ３２０２の時点でＳｃｅｌｌであったセルが、前記キャリアアグリゲーションが行われているキャリアで最も無線品質が良いセルであり、Ｓｃｅｌｌは維持されることになる。
【０２４４】
一方、前記キャリアアグリゲーションが行われているキャリアにおいて最も無線品質が良いセルが、前記新しいＰｃｅｌｌと同じ無線基地局に属さない場合（ステップＳ３２０６：ＮＯ）、前記キャリアアグリゲーションが行われているキャリアで最も無線品質が良いセルとの通信状態を確立しない（ステップＳ３２１０）。
【０２４５】
この場合、前記キャリアアグリゲーションが行われているキャリアにおいては、Ｓｃｅｌｌが存在しないことになる。すなわち、ステップＳ３２０２の時点で、Ｓｃｅｌｌとして設定されていたセルの接続状態は、削除される。
【０２４６】
なお、上述した例において、キャリアアグリゲーションが行われているキャリアが複数存在する場合には、図１７に示す処理を、各キャリアアグリゲーションが行われているキャリアのそれぞれに関して適用されてもよい。
【０２４７】
また、ステップＳ３２０６、３２０８、３２１０の処理は、キャリアアグリゲーションが行われているキャリアに関して行われているが、加えて、キャリアアグリゲーションが行われていないキャリアに関して行われてもよい。
【０２４８】
なお、上述した処理において、セルとの接続状態を確立する場合に、前記セルの無線品質が、所定の閾値以上である場合にのみ、前記セルとの接続状態を確立し、前記セルの無線品質が、所定の閾値未満である場合には、上述した処理により、前記セルとの接続状態を確立すると判定した場合でも、前記セルとの接続状態を確立しないと判定してもよい。
【０２４９】
図１１を用いて、本発明に係る移動局ＵＥにおける通信制御方法を説明する。
【０２５０】
ステップＳ３０２において、移動局ＵＥは、２つ以上のキャリアに関して、通信中のセル又は隣接セルの無線品質を測定する。なお、移動局ＵＥは、無線基地局ｅＮＢより、かかる２つ以上のキャリアに関するＭｅａｓｕｒｅｍｅｎｔを指示される。
【０２５１】
ステップＳ３０４において、移動局ＵＥ（判定部１０４）は、かかる２つ以上のキャリアの中の各キャリアに関して、Ｍｅａｓｕｒｅｍｅｎｔ  ｒｅｐｏｒｔを送信するか否かを判定する。
【０２５２】
なお、かかるＭｅａｓｕｒｅｍｅｎｔ  ｒｅｐｏｒｔは、上述したように、無線基地局ｅＮＢより指定されるイベント（イベントＡ１、Ａ２等）によりその送信がトリガーされてもよいし、周期的な送信が行われてもよい。
【０２５３】
移動局ＵＥが、Ｍｅａｓｕｒｅｍｅｎｔ  ｒｅｐｏｒｔを送信すると判定した場合（ステップＳ３０４：ＹＥＳ）、ステップＳ３０６において、移動局ＵＥは、Ｍｅａｓｕｒｅｍｅｎｔ  ｒｅｐｏｒｔを無線基地局に送信すると判定したキャリア以外のキャリア（その他のキャリア）に関する測定結果をＭｅａｓｕｒｅｍｅｎｔに含めて、Ｍｅａｓｕｒｅｍｅｎｔ  ｒｅｐｏｒｔを送信する。
【０２５４】
また、移動局ＵＥは、Ｍｅａｓｕｒｅｍｅｎｔ  ｒｅｐｏｒｔを送信しないと判定した場合（ステップＳ３０４：ＮＯ）、処理を終了する。
【０２５５】
なお、上述した、無線基地局ｅＮＢから移動局ＵＥへのＭｅａｓｕｒｅｍｅｎｔの指示において、移動局ＵＥは、無線基地局ｅＮＢより、その他のキャリアの識別情報や、その他のキャリアに関する測定結果に含まれるセルの数が指定されてもよい。
【０２５６】
図１２を用いて、本発明に係る無線基地局ｅＮＢにおける通信制御方法を説明する。
【０２５７】
ステップＳ４０２において、無線基地局ｅＮＢは、移動局ＵＥに関して、通信中のセル又は隣接セルの無線品質を測定すること（Ｍｅａｓｕｒｅｍｅｎｔ）を指示する。
【０２５８】
なお、無線基地局ｅＮＢは、移動局ＵＥに対して、２つ以上のキャリアに関するＭｅａｓｕｒｅｍｅｎｔを指示してもよい。
【０２５９】
ステップＳ４０４において、移動局ＵＥより送信されたＭｅａｓｕｒｅｍｅｎｔ  ｒｅｐｏｒｔを受信する。
【０２６０】
ここで、かかるＭｅａｓｕｒｅｍｅｎｔ  ｒｅｐｏｒｔには、移動局ＵＥにおいてＭｅａｓｕｒｅｍｅｎｔ  ｒｅｐｏｒｔを無線基地局に送信すると判定したキャリア以外のキャリア（その他のキャリア）に関する測定結果が含まれていてもよい。
【０２６１】
すなわち、無線基地局ｅＮＢは、移動局ＵＥにおいてＭｅａｓｕｒｅｍｅｎｔ  ｒｅｐｏｒｔを無線基地局に送信すると判定したキャリア以外のキャリアに関する測定結果が含まれたＭｅａｓｕｒｅｍｅｎｔ  ｒｅｐｏｒｔを受信する。
【０２６２】
なお、ステップＳ４０２における、無線基地局ｅＮＢから移動局ＵＥへのＭｅａｓｕｒｅｍｅｎｔの指示において、無線基地局ｅＮＢは、移動局ＵＥに対して、その他のキャリアの識別情報や、その他のキャリアに関する測定結果に含まれるセルの数を指定してもよい。
【０２６３】
以下に、移動局ＵＥが、Ｍｅａｓｕｒｅｍｅｎｔ  ｒｅｐｏｒｔの中に、Ｍｅａｓｕｒｅｍｅｎｔ  ｒｅｐｏｒｔを無線基地局に送信すると判定したキャリア以外のキャリア（その他のキャリア）に関する測定結果を含めることの効果を説明する。
【０２６４】
例えば、図１３を用いて、かかる効果を説明する。同図においては、横軸は、移動局ＵＥの位置を示す軸であり、縦軸は、周波数或いはキャリアを示す軸である。また、図１３においては、移動局ＵＥは、Ｃｅｌｌ＃１-ＡとＣｅｌｌ＃２-Ａとキャリアアグリゲーションを行っている。
【０２６５】
そして、移動局ＵＥは、図１３の左方向から右方向に移動を行うため、近い将来において、Ｃｅｌｌ＃１-Ａ/Ｃｅｌｌ＃２-Ａから、Ｃｅｌｌ＃１-Ｂ/Ｃｅｌｌ＃２-Ｂにハンドオーバを行うと想定される。
【０２６６】
ここで、本発明に係る移動局ＵＥは、コンポーネントキャリア＃２に関してＭｅａｓｕｒｅｍｅｎｔ  ｒｅｐｏｒｔが送信される場合に、そのＭｅａｓｕｒｅｍｅｎｔ  ｒｅｐｏｒｔ内に、コンポーネントキャリア＃１における無線品質の測定結果を通知する。
【０２６７】
なお、上述の例においては、コンポーネントキャリア＃１に関するＭｅａｓｕｒｅｍｅｎｔ  ｒｅｐｏｒｔは、まだ送信されていないとする。
【０２６８】
この場合、無線基地局ｅＮＢは、コンポーネントキャリア＃２に関するハンドオーバ（Ｃｅｌｌ＃２-ＡからＣｅｌｌ＃２-Ｂへのハンドオーバ）を指示する場合に、前記コンポーネントキャリア＃１における無線品質の測定結果に基づいて、コンポーネントキャリア＃１に関するハンドオーバ（Ｃｅｌｌ＃１-ＡからＣｅｌｌ＃１-Ｂへのハンドオーバ）も同時に指示することが可能となる。
【０２６９】
前記コンポーネントキャリア＃１における無線品質の測定結果が存在しない場合、無線基地局ｅＮＢは、Ｃｅｌｌ＃１-ＡからＣｅｌｌ＃１-Ｂへのハンドオーバが適切であるか否かを判定できないため、上述のような処理を行うことができない。
【０２７０】
結果として、本発明による移動局ＵＥにより、コンポーネントキャリア＃１に関するＭｅａｓｕｒｅｍｅｎｔ  ｒｅｐｏｒｔは不要となり、制御信号のオーバヘッドが削減される。
【０２７１】
或いは、例えば、図１４を用いて、かかる効果を説明する。
【０２７２】
図１４においては、横軸は、移動局ＵＥの位置を示す軸であり、縦軸は、周波数或いはキャリアを示す軸である。また、図１４においては、移動局ＵＥは、Ｃｅｌｌ＃１-ＡとＣｅｌｌ＃１-Ｂとキャリアアグリゲーションを行っている。また、Ｃｅｌｌ＃１-ＡとＣｅｌｌ＃２-Ａは、無線基地局ｅＮＢ＃ａに属し、Ｃｅｌｌ＃１-ＢとＣｅｌｌ＃２-Ｂは、無線基地局ｅＮＢ＃ｂに属する。
【０２７３】
そして、移動局ＵＥは、図１４の左方向から右方向に移動を行うため、近い将来において、Ｃｅｌｌ＃１-Ａ/Ｃｅｌｌ＃２-Ａから、Ｃｅｌｌ＃１-Ｂ/Ｃｅｌｌ＃２-Ｂにハンドオーバを行うと想定される。
【０２７４】
但し、図１４においては、Ｃｅｌｌ＃１-ＡからＣｅｌｌ＃１-Ｂへハンドオーバを行うポイント（ポイント１０）と、Ｃｅｌｌ＃２-ＡからＣｅｌｌ＃２-Ｂへハンドオーバを行うポイント（ポイント２０）とが、地理的に異なる。
【０２７５】
ここで、本発明に係る移動局ＵＥは、コンポーネントキャリア＃１に関するＭｅａｓｕｒｅｍｅｎｔ  ｒｅｐｏｒｔが送信される場合に、そのＭｅａｓｕｒｅｍｅｎｔ  ｒｅｐｏｒｔ内に、コンポーネントキャリア＃２における無線品質の測定結果を通知する。
【０２７６】
なお、上述の例においては、コンポーネントキャリア＃２に関するＭｅａｓｕｒｅｍｅｎｔ  ｒｅｐｏｒｔは、まだ送信されていないとする。この場合、無線基地局ｅＮＢは、かかるコンポーネントキャリア＃２における無線品質の測定結果に基づいて、さまざまな判定を行い、かつ、その判定に基づいた制御を行うことが可能となる。
【０２７７】
例えば、無線基地局ｅＮＢは、かかるコンポーネントキャリア＃２における無線品質の測定結果において、Ｃｅｌｌ＃２-Ａの無線品質が極めて良い場合に、Ｃｅｌｌ＃１-ＡからＣｅｌｌ＃１-Ｂへのハンドオーバを指示せず、Ｃｅｌｌ＃１-Ａをキャリアアグリゲーションにより通信中であるセルのリストから削除するという処理を行ってもよい。
【０２７８】
これは、Ｃｅｌｌ＃１-ＡからＣｅｌｌ＃１-Ｂへのハンドオーバは、無線基地局間のハンドオーバであるため、Ｃｅｌｌ＃２-Ａを削除する必要があるが、Ｃｅｌｌ＃１-ＡからＣｅｌｌ＃１-Ｂにハンドオーバを行うよりも、Ｃｅｌｌ＃２-Ａとの通信を継続した方が、通信品質的に良いためである。
【０２７９】
なお、通信品質的に良いとは、例えば、スループットが高いという意味であってもよく、或いは、Ｍｏｂｉｌｉｔｙ特性という点では、接続性が安定しているという意味であってもよい。
【０２８０】
例えば、無線基地局ｅＮＢは、かかるコンポーネントキャリア＃２における無線品質の測定結果において、Ｃｅｌｌ＃２-Ａの無線品質が悪い場合に、Ｃｅｌｌ＃１-ＡからＣｅｌｌ＃１-Ｂへのハンドオーバを指示し、かつ、Ｃｅｌｌ＃２-Ａをキャリアアグリゲーションにより通信中であるセルのリストから削除するという処理を行ってもよい。
【０２８１】
これは、Ｃｅｌｌ＃１-ＡからＣｅｌｌ＃１-Ｂへのハンドオーバは、無線基地局間のハンドオーバであるため、Ｃｅｌｌ＃２-Ａを削除する必要があり、Ｃｅｌｌ＃１-ＡからＣｅｌｌ＃１-Ｂにハンドオーバを行う方が、Ｃｅｌｌ＃２-Ａとの通信を継続するよりも、通信品質的に良いためである。
【０２８２】
なお、通信品質的に良いとは、例えば、スループットが高いという意味であってもよく、或いは、Ｍｏｂｉｌｉｔｙ特性という点では、接続性が安定しているという意味であってもよい。
【０２８３】
例えば、無線基地局ｅＮＢは、かかるコンポーネントキャリア＃２における無線品質の測定結果において、Ｃｅｌｌ＃２-Ａの無線品質が比較的悪く、かつ、Ｃｅｌｌ＃２-Ｂの無線品質が比較的良い場合に、Ｃｅｌｌ＃１-ＡからＣｅｌｌ＃１-Ｂへのハンドオーバを指示し、かつ、Ｃｅｌｌ＃２-ＡからＣｅｌｌ＃２-Ｂへのハンドオーバを指示するという処理を行ってもよい。
【０２８４】
これは、Ｃｅｌｌ＃１-ＡからＣｅｌｌ＃１-Ｂへのハンドオーバは、無線基地局間のハンドオーバであるため、Ｃｅｌｌ＃２-Ａを削除する必要があり、ハンドオーバ先の無線基地局Ｃｅｌｌ＃２-Ｂの無線品質が比較的良いため、Ｃｅｌｌ＃１-ＡからＣｅｌｌ＃１-Ｂへのハンドオーバに加えて、Ｃｅｌｌ＃２-ＡからＣｅｌｌ＃２-Ｂへのハンドオーバを同時に指示した方が通信品質的に良いためである。
【０２８５】
なお、通信品質的に良いとは、例えば、スループットが高いという意味であってもよく、或いは、Ｍｏｂｉｌｉｔｙ特性という点では、接続性が安定しているという意味であってもよい。
【０２８６】
上述した例においては、Ｍｅａｓｕｒｅｍｅｎｔが行われているキャリアのそれぞれに関して、Ｍｅａｓｕｒｅｍｅｎｔ  ｒｅｐｏｒｔが送信される場合を示したが、Ｍｅａｓｕｒｅｍｅｎｔが行われている複数のキャリアに関して、Ｍｅａｓｕｒｅｍｅｎｔ  ｒｅｐｏｒｔが送信される場合に関しても同様に、本発明に係る移動局、無線基地局、通信制御方法が適用されてもよい。
【０２８７】
上述した例においては、キャリアアグリゲーションが行われているキャリアの数が２であり、キャリアアグリゲーションが行われていないが、Ｍｅａｓｕｒｅｍｅｎｔが行われているキャリアの数が１である場合を示したが、上記キャリアの数は一例であり、上記以外のキャリア数である場合にも、本発明に係る移動局、無線基地局、通信制御方法が適用されてもよい。
【０２８８】
また、上述した例においては、移動局ＵＥは、Ｍｅａｓｕｒｅｍｅｎｔ  ｒｅｐｏｒｔを送信する場合に、Ｍｅａｓｕｒｅｍｅｎｔ  ｒｅｐｏｒｔが送信されると判定されたキャリア以外のキャリアに関する無線品質の測定結果を、Ｍｅａｓｕｒｅｍｅｎｔ  ｒｅｐｏｒｔに含めるが、代わりに、移動局ＵＥは、ハンドオーバの完了を通知する制御信号を送信する場合に、その他のキャリアに関する無線品質の測定結果を、前記制御信号に含めてもよい。
【０２８９】
この場合、その他のキャリアは、上述した例と同様に、Ｍｅａｓｕｒｅｍｅｎｔ  ｒｅｐｏｒｔが送信されると判定されたキャリア以外のキャリアであってもよいし、ハンドオーバが行われるキャリア以外のキャリアであってもよい。
【０２９０】
前記制御信号は、ハンドオーバコンプリートであってもよい。ハンドオーバコンプリートに、その他のキャリアに関する無線品質の測定結果が含められる処理の詳細は、Ｍｅａｓｕｒｅｍｅｎｔ  ｒｅｐｏｒｔに、その他のキャリアに関する無線品質の測定結果が含められる処理の詳細と同様であるため、省略する。
【０２９１】
なお、移動局ＵＥがハンドオーバコンプリートを送信する場合、例えば、無線基地局ｅＮＢからのハンドオーバの指示は、Ｍｅａｓｕｒｅｍｅｎｔ制御信号受信部１０８が受信し、ハンドオーバコンプリートは、Ｍｅａｓｕｒｅｍｅｎｔ  ｒｅｐｏｒｔ送信部１０６が送信してもよい。
【０２９２】
Ｍｅａｓｕｒｅｍｅｎｔ  ｒｅｐｏｒｔは、ハンドオーバ元の無線基地局に送信されるが、ハンドオーバコンプリートは、ハンドオーバ先の無線基地局に送信される。
【０２９３】
よって、ハンドオーバコンプリートに、その他のキャリアに関する無線品質の測定結果が含められることにより、ハンドオーバ先の無線基地局は、ハンドオーバ後すぐに、無線品質の良いセルを用いたキャリアアグリゲーションを設定することが可能となる。
【０２９４】
以上に述べた本実施形態の特徴は、以下のように表現されていてもよい。
【０２９５】
本実施形態の第１の特徴は、２つ以上のキャリアを用いて移動局と通信を行う無線基地局であって、前記移動局に対して、通信中のセル又は隣接セルの無線品質の測定を指示する制御信号を送信するように構成されている測定指示部と、前記移動局から、前記２つ以上のキャリア内の各キャリアに関する測定結果を受信するように構成されている受信部と、前記測定結果に基づいて、前記移動局に対してハンドオーバを行うことを指示するように構成されているハンドオーバ制御部とを具備し、前記ハンドオーバ制御部は、該無線基地局に通知されると判定されたキャリアに関する測定結果と、前記キャリア以外のキャリアに関する測定結果とに基づいて、前記移動局に対してハンドオーバを行うか否かについて判定するように構成されていることを要旨とする。
【０２９６】
本実施形態の第２の特徴は、２つ以上のキャリアを用いて移動局と通信を行う無線基地局における通信制御方法であって、前記移動局に対して、通信中のセル又は隣接セルの無線品質の測定を指示する制御信号を送信する第１ステップと、  前記移動局から、前記２つ以上のキャリア内の各キャリアに関する測定結果を受信する第２ステップと、前記測定結果に基づいて、前記移動局に対してハンドオーバを行うことを指示する第３ステップとを備え、前記第３ステップにおいて、該無線基地局に通知されると判定されたキャリアに関する測定結果と、前記キャリア以外のキャリアに関する測定結果とに基づいて、前記移動局に対してハンドオーバを行うか否かについて判定することを要旨とする。
【０２９７】
なお、上述の移動局ＵＥや無線基地局ｅＮＢの動作は、ＬＴＥ−Ａｄｖａｎｃｅｄが適用されるシステム以外の移動局や無線基地局及び制御局に適用されてもよい。例えば、ＬＴＥやＷＣＤＭＡ、ＣＤＭＡ２０００やＷｉＭＡＸにおける移動局や無線基地局及び制御局に適用されてもよい。
【０２９８】
例えば、ＷＣＤＭＡシステムにおいて通信を行う移動局は、Ｉｎｔｅｒ−ＲＡＴ（Ｒａｄｉｏ  Ａｃｃｅｓｓ  Ｔｅｃｈｎｏｌｏｇｙ）  Ｍｅａｓｕｒｅｍｅｎｔにより、ＬＴＥ−Ａｄｖａｎｃｅｄシステムの２つ以上のキャリアのＭｅａｓｕｒｅｍｅｎｔを行う場合に、上述の移動局ＵＥの動作が適用されてもよい。また、この場合、制御局（Ｒａｄｉｏ  Ｎｅｔｗｏｒｋ  Ｃｏｎｔｒｏｌｌｅｒ）が、本発明に係る無線基地局ｅＮＢの動作を行う。すなわち、前記制御局に、上述の無線基地局ｅＮＢの動作が適用されてもよい。
【０２９９】
或いは、例えば、ＬＴＥシステムにおいて通信を行う移動局は、２つ以上のキャリアのＭｅａｓｕｒｅｍｅｎｔを行う場合に、上述の移動局ＵＥの動作が適用されてもよい。また、この場合、ＬＴＥシステムの無線基地局ｅＮＢに、上述の無線基地局ｅＮＢの動作が適用されてもよい。
【０３００】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【０３０１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０３０２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【０３０３】
以上、上述の実施形態を用いて本発明について詳細に説明したが、当業者にとっては、本発明が本明細書中に説明した実施形態に限定されるものではないということは明らかである。本発明は、請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
0005444378.tif 000002
【図２】
0005444378.tif 000003
【図３】
0005444378.tif 000004
【図４】
0005444378.tif 000005
【図５】
0005444378.tif 000006
【図６】
0005444378.tif 000007
【図７】
0005444378.tif 000008
【図８】
0005444378.tif 000009
【図９】
0005444378.tif 000010
【図１０】
0005444378.tif 000011
【図１１】
0005444378.tif 000012
【図１２】
0005444378.tif 000013
【図１３】
0005444378.tif 000014
【図１４】
0005444378.tif 000015
【図１５】
0005444378.tif 000016
【図１６】
0005444378.tif 000017
【図１７】
0005444378.tif 000018